(57)【要約】【課題】キャリアアグリゲーションをサポートする端末装置にとってのＭＢＭＳに関する負担を軽減することを可能にする。【解決手段】第１のコンポーネントキャリアを含む２つ以上のコンポーネントキャリアのＰＭＣＨ（Physical  Multicast  Channel）を特定するために用いられる特定情報を取得する取得部と、上記第１のコンポーネントキャリアでの上記特定情報の送信を制御する制御部と、を備える装置が提供される。【選択図】図９
2015093141.tif 000002
【特許請求の範囲】
【請求項１】
第１のコンポーネントキャリアを含む２つ以上のコンポーネントキャリアのＰＭＣＨ（Physical  Multicast  Channel）を特定するために用いられる特定情報を取得する取得部と、
前記第１のコンポーネントキャリアでの前記特定情報の送信を制御する制御部と、
を備える装置。
【請求項２】
前記特定情報は、前記２つ以上のコンポーネントキャリアについての、ＭＣＣＨ（Multicast  Control  Channel）のスケジューリング情報である、請求項１に記載の装置。
【請求項３】
前記スケジューリング情報は、ＭＣＣＨオフセット、ＭＣＣＨ反復期間及びサブフレーム割当て情報を含む、請求項２に記載の装置。
【請求項４】
前記取得部は、前記スケジューリング情報を含む所定のシステム情報ブロックを取得し、
前記制御部は、前記第１のコンポーネントキャリアでの前記所定のシステム情報ブロックの送信を制御する、
請求項２に記載の装置。
【請求項５】
前記スケジューリング情報は、１つ以上の個別のスケジューリング情報を含み、
前記１つ以上の個別のスケジューリング情報の各々は、前記２つ以上のコンポーネントキャリアのうちの少なくとも１つのコンポーネントキャリアについての、ＭＣＣＨのスケジューリング情報である、
請求項４に記載の装置。
【請求項６】
前記１つ以上の個別のスケジューリング情報は、前記２つ以上のコンポーネントキャリアに含まれる少なくとも２つのコンポーネントキャリアの間で共通のスケジューリング情報を含む、請求項５に記載の装置。
【請求項７】
前記取得部は、前記特定情報を含む所定のシステム情報ブロックを取得し、
前記制御部は、前記第１のコンポーネントキャリアでの前記所定のシステム情報ブロックの送信を制御し、
前記所定のシステム情報ブロックは、前記１つ以上の個別のスケジューリング情報と、前記１つ以上の個別のスケジューリング情報の各々に対応するコンポーネントキャリアの識別情報とを含む、
請求項５に記載の装置。
【請求項８】
前記所定のシステム情報ブロックは、ＭＣＣＨの変更を示すために用いられる情報の所在を端末装置に通知する通知情報であって、前記２つ以上のコンポーネントキャリアについての前記通知情報をさらに含み、
前記通知情報は、通知インジケータ及び通知コンフィギュレーションのうちの少なくとも一方を含む、
請求項４に記載の装置。
【請求項９】
前記特定情報は、前記２つ以上のコンポーネントキャリアについてのＭＢＳＦＮ（MBMS(Multimedia  Broadcast  Multicast  Services)  over  a  Single  Frequency  Network）エリアコンフィギュレーション情報である、請求項１に記載の装置。
【請求項１０】
前記制御部は、前記第１のコンポーネントキャリアのＭＣＣＨでの前記ＭＢＳＦＮエリアコンフィギュレーション情報の送信を制御する、請求項９に記載の装置。
【請求項１１】
前記ＭＢＳＦＮエリアコンフィギュレーション情報は、１つ以上のＭＢＳＦＮエリアコンフィギュレーションメッセージを含み、
前記１つ以上のＭＢＳＦＮエリアコンフィギュレーションメッセージの各々は、前記２つ以上のコンポーネントキャリアのうちの少なくとも１つのコンポーネントキャリアについてのＭＢＳＦＮエリアコンフィギュレーションメッセージである、
請求項１０に記載の装置。
【請求項１２】
前記１つ以上のＭＢＳＦＮエリアコンフィギュレーションメッセージは、前記２つ以上のコンポーネントキャリアに含まれる少なくとも２つのコンポーネントキャリアの間で共通のＭＢＳＦＮエリアコンフィギュレーションメッセージを含む、請求項１１に記載の装置。
【請求項１３】
前記ＭＣＣＨで送信される情報は、前記１つ以上のＭＢＳＦＮエリアコンフィギュレーションメッセージと、当該１つ以上のＭＢＳＦＮエリアコンフィギュレーションメッセージの各々に対応するコンポーネントキャリアの識別情報とを含む、請求項１１に記載の装置。
【請求項１４】
前記ＭＢＳＦＮエリアコンフィギュレーション情報は、１つ以上のＰＭＣＨ割当て情報を含む１つのＭＢＳＦＮエリアコンフィギュレーションメッセージを含み、
前記１つ以上のＰＭＣＨ割当て情報の各々は、前記２つ以上のコンポーネントキャリアのうちの少なくとも１つのコンポーネントキャリアについてのＰＭＣＨ割当て情報である、
請求項１０に記載の装置。
【請求項１５】
前記１つ以上のＰＭＣＨ割当て情報の各々は、少なくともＰＭＣＨ情報リストを含む、請求項１４に記載の装置。
【請求項１６】
前記１つ以上のＰＭＣＨ割当て情報は、前記２つ以上のコンポーネントキャリアに含まれる少なくとも２つのコンポーネントキャリアの間で共通のＰＭＣＨ割当て情報を含む、請求項１４に記載の装置。
【請求項１７】
前記１つのＭＢＳＦＮエリアコンフィギュレーションメッセージは、前記１つ以上のＰＭＣＨ割当て情報と、当該１つ以上のＰＭＣＨ割当て情報に対応するコンポーネントキャリアの識別情報とを含む、請求項１４に記載の装置。
【請求項１８】
前記ＭＢＳＦＮエリアコンフィギュレーション情報は、前記２つ以上のコンポーネントキャリアに含まれる少なくとも２つのコンポーネントキャリアにわたるＰＭＣＨを示す情報を含む、請求項１０に記載の装置。
【請求項１９】
第１のコンポーネントキャリアを含む２つ以上のコンポーネントキャリアのＰＭＣＨを特定するために用いられる特定情報を取得することと、
前記第１のコンポーネントキャリアでの前記特定情報の送信をプロセッサにより制御することと、
を含む方法。
【請求項２０】
第１のコンポーネントキャリアを含む２つ以上のコンポーネントキャリアのＰＭＣＨを特定するために用いられる特定情報であって、基地局により前記第１のコンポーネントキャリアで送信される前記特定情報を取得する取得部と、
前記特定情報に基づいて、前記２つ以上のコンポーネントキャリアに含まれるコンポーネントキャリアのＰＭＣＨを特定する制御部と、
を備える装置。
【発明の詳細な説明】
【技術分野】
【０００１】
本開示は、装置及び方法に関する。
【背景技術】
【０００２】
３ＧＰＰ（The  3rd  Generation  Partnership  Project）では、ＭＢＭＳ（Multimedia  Broadcast  and  Multicast  Service）が規格化されている。ＭＢＭＳによれば、移動体通信ネットワークにおいてブロードキャストサービス又はマルチキャストサービスを端末装置に提供することが可能になる。ＭＢＭＳに関する技術として様々な技術が開示されている。【０００３】
例えば、非特許文献１には、ＭＢＭＳにおいてブロードキャスト又はマルチキャストされるデータ（ＭＢＭＳセッション）の受信及び取得を可能にする制御情報が開示されている。
【先行技術文献】
【非特許文献】
【０００４】
【非特許文献１】3GPP  TS  36.331  V11.5.0  (2013-09)  LTE;  Evolved  Universal  Terrestrial  Radio  Access  (E-UTRA);  Radio  Resource  Control  (RRC);  Protocol  Specification
【発明の概要】
【発明が解決しようとする課題】
【０００５】
しかし、上記非特許文献１に開示されている技術では、キャリアアグリゲーションをサポートする端末装置にとってのＭＢＭＳに関する負担が大きくなり得る。より具体的には、例えば、上記非特許文献１に開示されている技術では、ＭＢＭＳにおいてブロードキャスト又はマルチキャストされるデータの受信及び取得を可能にする上記制御情報は、コンポーネントキャリアごとに送信される。そのため、端末装置は、複数のコンポーネントキャリアを使用する場合に、当該複数のコンポーネントキャリアの各々で送信される上記制御情報を取得する。また、端末装置は、使用するコンポーネントキャリアを変更するたびに、上記制御情報を取得する。このように、端末装置にとっての負担が大きくなり得る。【０００６】
そこで、キャリアアグリゲーションをサポートする端末装置にとってのＭＢＭＳに関する負担を軽減することを可能にする仕組みが提供されることが望ましい。
【課題を解決するための手段】
【０００７】
本開示によれば、第１のコンポーネントキャリアを含む２つ以上のコンポーネントキャリアのＰＭＣＨ（Physical  Multicast  Channel）を特定するために用いられる特定情報を取得する取得部と、上記第１のコンポーネントキャリアでの上記特定情報の送信を制御する制御部と、を備える装置が提供される。【０００８】
また、本開示によれば、第１のコンポーネントキャリアを含む２つ以上のコンポーネントキャリアのＰＭＣＨを特定するために用いられる特定情報を取得することと、上記第１のコンポーネントキャリアでの上記特定情報の送信をプロセッサにより制御することと、を含む方法が提供される。【０００９】
また、本開示によれば、第１のコンポーネントキャリアを含む２つ以上のコンポーネントキャリアのＰＭＣＨを特定するために用いられる特定情報であって、基地局により上記第１のコンポーネントキャリアで送信される上記特定情報を取得する取得部と、上記特定情報に基づいて、上記２つ以上のコンポーネントキャリアに含まれるコンポーネントキャリアのＰＭＣＨを特定する制御部と、を備える装置が提供される。
【発明の効果】
【００１０】
以上説明したように本開示によれば、キャリアアグリゲーションをサポートする端末装置にとってのＭＢＭＳに関する負担を軽減することが可能となる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１１】
【図１】ＭＣＣＨを特定する手法の例を説明するための説明図である。
【図２】ＰＭＣＨを特定する手法の例を説明するための説明図である。
【図３】各ＭＢＭＳセッションに割り当てられている無線リソースを特定するための手法の例を説明するための説明図である。
【図４】ＭＢＭＳセッションについての第１のユースケースの例を説明するための説明図である。
【図５】ＭＢＭＳセッションについての第２のユースケースの例を説明するための説明図である。
【図６】ＭＢＭＳセッションについての第３のユースケースの例を説明するための説明図である。
【図７】本開示の実施形態に係る通信システムの概略的な構成の一例を示す説明図である。
【図８】第１の実施形態に係る基地局の構成の一例を示すブロック図である。
【図９】２つ以上のＣＣについてのＭＣＣＨスケジューリング情報を含むＳＩＢ１３の第１の例を説明するための説明図である。
【図１０】２つ以上のＣＣについてのＭＣＣＨスケジューリング情報を含むＳＩＢ１３の第２の例を説明するための説明図である。
【図１１】２つ以上のＣＣについてのＭＣＣＨスケジューリング情報を含むＳＩＢ１３の第３の例を説明するための説明図である。
【図１２】２つ以上のＣＣについてのＭＣＣＨスケジューリング情報を含むＳＩＢ１３の第４の例を説明するための説明図である。
【図１３】ＭＣＣＨが位置する無線フレーム及びサブフレームの第１の例を説明するための説明図である。
【図１４】ＭＣＣＨが位置する無線フレーム及びサブフレームの第２の例を説明するための説明図である。
【図１５】第１の実施形態に係る端末装置の構成の一例を示すブロック図である。
【図１６】第１の実施形態に係る基地局の通信制御処理の概略的な流れの一例を示すフローチャートである。
【図１７】第１の実施形態に係る端末装置の通信制御処理の概略的な流れの一例を示すフローチャートである。
【図１８】２つ以上のＣＣについての通知情報を含むＳＩＢ１３の一例を説明するための説明図である。
【図１９】第２の実施形態に係る基地局の構成の一例を示すブロック図である。
【図２０】ＭＢＳＦＮエリアコンフィギュレーション情報の一例を説明するための説明図である。
【図２１】ＰＭＣＨが位置するサブフレームの一例を説明するための説明図である。
【図２２】２つ以上のＣＣについてのＭＢＳＦＮエリアコンフィギュレーション情報のＭＣＣＨでの送信の第１の例を説明するための説明図である。
【図２３】２つ以上のＣＣについてのＭＢＳＦＮエリアコンフィギュレーション情報のＭＣＣＨでの送信の第２の例を説明するための説明図である。
【図２４】２つ以上のＣＣについてのＭＢＳＦＮエリアコンフィギュレーション情報のＭＣＣＨでの送信の第３の例を説明するための説明図である。
【図２５】２つ以上のＣＣについてのＭＢＳＦＮエリアコンフィギュレーション情報のＭＣＣＨでの送信の第４の例を説明するための説明図である。
【図２６】第２の実施形態に係る端末装置の構成の一例を示すブロック図である。
【図２７】第２の実施形態に係る基地局の通信制御処理の概略的な流れの一例を示すフローチャートである。
【図２８】第２の実施形態に係る端末装置の通信制御処理の概略的な流れの一例を示すフローチャートである。
【図２９】１つ以上のＰＭＣＨ割当て情報を含むＭＢＳＦＮエリアコンフィギュレーションメッセージの第１の例を説明するための説明図である。
【図３０】１つ以上のＰＭＣＨ割当て情報を含むＭＢＳＦＮエリアコンフィギュレーションメッセージの第２の例を説明するための説明図である。
【図３１】１つ以上のＰＭＣＨ割当て情報を含むＭＢＳＦＮエリアコンフィギュレーションメッセージの第３の例を説明するための説明図である。
【図３２】１つ以上のＰＭＣＨ割当て情報を含むＭＢＳＦＮエリアコンフィギュレーションメッセージの第４の例を説明するための説明図である。
【図３３】１つ以上のＰＭＣＨ割当て情報を含むＭＢＳＦＮエリアコンフィギュレーションメッセージのＭＣＣＨでの送信の一例を説明するための説明図である。
【図３４】マルチプルＣＣ  ＰＭＣＨを示す情報を含むＭＢＳＦＮエリアコンフィギュレーション情報の第１の例を説明するための説明図である。
【図３５】マルチプルＣＣ  ＰＭＣＨを示す情報を含むＭＢＳＦＮエリアコンフィギュレーション情報の第２の例を説明するための説明図である。
【図３６】マルチプルＣＣ  ＰＭＣＨの第１の例を説明するための説明図である。
【図３７】マルチプルＣＣ  ＰＭＣＨの第２の例を説明するための説明図である。
【図３８】ｅＮＢの概略的な構成の第１の例を示すブロック図である。
【図３９】ｅＮＢの概略的な構成の第２の例を示すブロック図である。
【図４０】スマートフォンの概略的な構成の一例を示すブロック図である。
【図４１】カーナビゲーション装置の概略的な構成の一例を示すブロック図である。
【発明を実施するための形態】
【００１２】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．はじめに
２．通信システムの概略的な構成
３．第１の実施形態
３．１．基地局の構成
３．２．端末装置の構成
３．３．処理の流れ
３．４．変形例
４．第２の実施形態
４．１．基地局の構成
４．２．端末装置の構成
４．３．処理の流れ
４．４．第１の変形例
４．５．第２の変形例
５．応用例
５．１．基地局に関する応用例
５．２．端末装置に関する応用例
６．まとめ
【００１４】
＜＜１．はじめに＞＞
まず、図１〜図６を参照して、ＭＢＭＳに関する一般的な事項、及びキャリアアグリゲーションがサポートされる場合のＭＢＭＳについての考察を説明する。
【００１５】
（ＭＢＭＳに関する一般的な事項）
−ＭＢＭＳセッション
ブロードキャスト又はマルチキャストされる１つの番組は、ＭＢＭＳセッションと呼ばれる。ＭＢＭＳセッションは、ＭＢＭＳのための物理チャネルであるＰＭＣＨ（Physical  Multicast  Channel）にマッピングされる。
【００１６】
−ＭＢＳＦＮ
ＭＢＳＦＮ（MBMS  over  a  Single  Frequency  Network）サービスエリアは、１つのＭＢＭＳサービスが提供される地域である。また、ＭＢＳＦＮサービスエリアは、ＳＦＮ（Single  Frequency  Network）を構成している地域である。なお、１つのｅＮＢ（evolved  Node  B）に最大８個のＭＢＳＦＮサービスエリアが設定され得る。
【００１７】
ＳＦＮとは、複数のｅＮＢが同一の時刻及び同一の周波数で同一のダウンリンク信号を送信し、ＵＥが複数のｅＮＢからのダウンリンク信号を反射波とみなしてこれらのダウンリンク信号を合成する技術である。その結果、信号強度が向上する。放送の場合には、広い範囲で端末装置が受信することが求められるので、このようなＳＦＮが用いられる。
【００１８】
−チャネル
ＭＢＭＳについて、ＭＴＣＨ（Multicast  Transport  Channel）及びＭＣＣＨ（Multicast  Control  Channel）という２つの論理チャネルが用意されている。また、ＭＢＭＳについて、ＰＭＣＨ（Physical  Multicast  Channel）という物理チャネルが用意されている。ＭＴＣＨ及びＭＣＣＨの両方が、トランスポートチャネルであるＭＣＴ（Multicast  Channel）を介して、ＰＭＣＨにマッピングされる。
【００１９】
ＰＭＣＨでは、Ｅｘｔｅｎｄｅｄ  ＣＰという長いサイクリックプレフィクス（ＣＰ）が送信される。これは、ＳＦＮを構成するためである。即ち、端末装置が複数のｅＮＢからのダウンリンク信号を合成するためである。
【００２０】
ＭＢＳＦＮ用のサブフレームには、ＰＤＣＣＨ（Physical  Downlink  Control  Channel）の部分とＰＤＳＣＨ（Physical  Downlink  Shared  Channel）の部分が存在する。上記サブフレームの中のＰＤＣＣＨの部分は、ＭＢＭＳのためではなく、通常のサブフレームのアップリンクのスケジューリング情報を伝えるのに用いられる。一方、上記サブフレームの中のＰＤＳＣＨの部分は、ＭＢＭＳのために使用される。即ち、上記サブフレームの中のＰＤＳＣＨの部分が、ＰＭＣＨとなる。
【００２１】
ＰＭＣＨでは、ＭＣＣＨ及びＭＴＣＨの両方が送信されるとともに、ＭＡＣ（Media  Access  Control）シグナリングとして生成されたＭＣＨ（Multicast  Channel）スケジューリング情報（ＭＳＩ：MCH  Scheduling  Information）も送信される。ＭＳＩは、各ＭＢＭＳセッション（又は各ＭＴＣＨ）がＰＭＣＨの中のどのサブフレームにマッピングされているかを示す情報である。ＭＳＩは、ＰＭＣＨの最初のサブフレームで送信される。
【００２２】
−ＭＢＭＳのスケジューリング
ＵＥは、所望の番組（ＭＢＭＳセッション）が送信される無線リソースを特定しなければ、当該所望の番組を受信することができない。そのため、ＵＥは、ｅＮＢにより提供される情報に基づいて上記無線リソースを特定する。以下、図１〜図３を参照して、上記無線リソースを特定する手法を説明する。
【００２３】
図１は、ＭＣＣＨを特定する手法の例を説明するための説明図である。図１を参照すると、ＳＩＢ（System  Information  Block）１３は、ＭＣＣＨスケジューリング情報を含む。具体的には、ＭＣＣＨスケジューリング情報は、ＭＣＣＨオフセット（MCCH  Offset）及びＭＣＣＨ反復期間（MCCH  Repetition  Period）を含む。これらの情報から、ＭＣＣＨが位置する無線フレーム（Radio  Frame）が特定される。また、ＭＣＣＨスケジューリング情報は、サブフレーム割当て情報（Subframe  Allocation  Information）を含む。この情報から、ＭＣＣＨが位置するサブフレームが特定される。このようにＳＩＢ１３に含まれるＭＣＣＨスケジューリング情報から、ＭＣＣＨが特定される。
【００２４】
図２は、ＰＭＣＨを特定する手法の例を説明するための説明図である。図２を参照すると、ＭＣＣＨでは、ＭＢＳＦＮエリアコンフィギュレーションメッセージが送信される。ＭＢＳＦＮエリアコンフィギュレーションメッセージは、共通サブフレーム割当て（Common  Subframe  Allocation）、共通サブフレーム割当て期間（Common  Subframe  Allocation  Period）及びＰＭＣＨ情報リスト（PMCH  Information  List）を含む。共通サブフレーム割当ては、ＭＢＳＦＮ用のサブフレームを示す。また、共通サブフレーム割当て期間は、共通サブフレーム割当てにより示されるサブフレームをＰＭＣＨに割り当てる期間を示す。即ち、共通サブフレーム割当て及び共通サブフレーム割当て期間から、ＰＭＣＨに割り当てられるサブフレーム（例えば、２０サブフレーム）が特定される。さらに、ＰＭＣＨ情報リストは、各ＰＭＣＨ（例えば、ＰＭＣＨ１〜３の各々）に割り当てられるサブフレームを示す。最大で１６個のＰＭＣＨにサブフレームが割り当てられる。また、ＰＭＣＨ情報リストは、各ＰＭＣＨにマッピングされるＭＴＣＨ及びＭＢＭＳセッションをさらに示す。最大で１６個のＰＭＣＨに最大３０個のＭＢＭＳセッションがマッピングされる。一例として、ＰＭＣＨ１には、ＭＢＭＳセッション１〜４がマッピングされ、ＰＭＣＨ２には、ＭＢＭＳセッション５、６がマッピングされ得る。このようにＭＣＣＨで送信されるＭＢＳＦＮエリアコンフィギュレーションメッセージから、ＰＭＣＨと、ＰＭＣＨにマッピングされるＭＴＣＨ及びＭＢＭＳセッションとが特定される。なお、ＭＢＳＦＮエリアコンフィギュレーションメッセージの中の共通サブフレーム割当ては、ＳＩＢ２に含まれるＭＢＳＦＮサブフレームコンフィギュレーションにより代用され得る。
【００２５】
図３は、各ＭＢＭＳセッションに割り当てられている無線リソースを特定するための手法の例を説明するための説明図である。図３を参照すると、ＰＭＣＨは、当該ＰＭＣＨの先頭のサブフレームにＭＳＩを含む。ＭＳＩは、各ＭＢＭＳセッション（例えば、ＭＢＭＳセッション１〜４）がマッピングされている無線リソース（例えば、サブフレーム）を示す。このようにＰＭＣＨで送信されるＭＳＩから、各ＭＢＭＳセッションに割り当てられている無線リソースが特定される。
【００２６】
−ＭＢＭＳの対象のＵＥ
ＭＢＭＳは、ＲＲＣ（Radio  Resource  Control）接続モードのＵＥのみではなく、ＲＲＣアイドルモードのＵＥも対象とする。即ち、ＲＲＣ接続モードのＵＥ及びＲＲＣアイドルモードのＵＥの両方が、ＭＢＭＳセッションを受信し、取得し得る。
【００２７】
−変調符号化方式
変調符号化方式（ＭＣＳ：Modulation  and  Coding  Scheme）は、ＭＣＥ（Multimedia  broadcast  multicast  Coordination  Entity）により変更されることが可能である。しかし、放送でＭＣＳが頻繁に変ることはない。そのため、例えば決め打ちのＭＣＳが使用される。
【００２８】
−フィードバック情報
ＬＴＥのＭＢＭＳでは、ＵＥからのフィードバック情報は存在しない。なお、通常の通信とＭＢＭＳとの両方が行われるミックスモードが存在するが、当該ミックスモードでも、ＭＢＭＳについてのフィードバック情報は規格上定められていない。
【００２９】
（キャリアアグリゲーションがサポートされる場合のＭＢＭＳについての考察）
−ユースケース
キャリアアグリゲーションがサポートされる場合には、複数のコンポーネントキャリア（ＣＣ：Component  Carrier）が使用され得る。例えば、スモールセルのｅＮＢが、複数のＣＣを使用し得る。複数のＣＣが使用される場合のＭＢＭＳセッションの送信については、いくつかのユースケースが考えられる。以下、図４〜図６を参照して当該ユースケースを説明する。
【００３０】
図４は、ＭＢＭＳセッションについての第１のユースケースの例を説明するための説明図である。図４を参照すると、例えば、ＣＣ１〜ＣＣ５の５つのＣＣが使用され、ＣＣ１〜ＣＣ５の各々では別々のＭＢＭＳセッションが送信される。例えば、ＣＣ１では、ＭＢＭＳセッション１が送信され、ＣＣ４では、ＭＢＭＳセッション４が送信される。例えばこのように各ＣＣで別々のＭＢＭＳセッションが送信される。このような場合に、例えば、ＵＥは、別のＭＢＭＳセッションを受信するために、別のＣＣにおいて、ＭＣＣＨスケジューリング情報、ＭＢＳＦＮエリアコンフィギュレーションメッセージ及びＭＳＩなどを受信する。
【００３１】
図５は、ＭＢＭＳセッションについての第２のユースケースの例を説明するための説明図である。図５を参照すると、例えば、ＣＣ１〜ＣＣ５の５つのＣＣが使用され、ＣＣ１〜ＣＣ５の各々では同一のＭＢＭＳセッションが送信される。即ち、ＣＣ１〜ＣＣ５のいずれでもＭＢＭＳセッション１が送信される。例えばこのように各ＣＣで同一のＭＢＭＳセッションが送信される。これにより、ＵＥにより使用されるＣＣが通信品質の変化に応じて変わる場合でも、ＵＥは同一のＭＢＭＳセッションを受信し続けることができる。このような場合にも、例えば、ＵＥは、使用するＣＣが変わると、同一のＭＢＭＳセッションを受信するために、新たなＣＣにおいて、ＭＣＣＨスケジューリング情報、ＭＢＳＦＮエリアコンフィギュレーションメッセージ及びＭＳＩなどを受信する。
【００３２】
図６は、ＭＢＭＳセッションについての第３のユースケースの例を説明するための説明図である。図６を参照すると、例えば、ＣＣ１〜ＣＣ５の５つのＣＣが使用され、ＣＣ１〜ＣＣ５の各々では同一のＭＢＭＳセッションの別々のパートが送信される。例えば、ＭＢＭＳセッション１は、パート１〜５を含む。そして、ＣＣ１では、ＭＢＭＳセッション１のうちのパート１が送信され、ＣＣ４では、ＭＢＭＳセッション１のうちのパート４が送信される。例えばこのように各ＣＣで同一のＭＢＭＳセッションの別のパートが送信される。これにより、例えば、ＵＥは、データサイズが大きいＭＢＭＳセッションを受信することができる。このような場合にも、例えば、ＵＥは、ＭＢＭＳセッションの各パートを受信するために、各ＣＣにおいて、ＭＣＣＨスケジューリング情報、ＭＢＳＦＮエリアコンフィギュレーションメッセージ及びＭＳＩなどを受信する。
【００３３】
−各ＣＣについてのＵＥの動作
各ＣＣについてＵＥの動作の例を説明する。
【００３４】
（１）ＵＥは、ＣＣにおける周波数同期及び時間同期を獲得する。
【００３５】
（２）ＵＥは、ＣＣで送信されるＳＩＢ２を取得する。ＳＩＢ２は、ＭＢＳＦＮ用のサブフレームを示すＭＢＳＦＮサブフレームコンフィギュレーションを含み、ＵＥは、ＳＩＢ２から、ＭＢＳＦＮ用のサブフレームを特定する。これにより、ＵＥは、ＭＢＳＦＮ用のサブフレームのＰＤＳＣＨの部分では、ＭＢＳＦＮ用のサイクリックプレフィクス（ＣＰ）が使用されていることを知ることができる。
【００３６】
（３）ＵＥは、ＣＣで送信されるＳＩＢ１３を取得する。そして、ＵＥは、ＳＩＢ１３に含まれるＭＣＣＨスケジューリング情報から、ＭＣＣＨを特定する。即ち、ＵＥは、ＭＣＣＨが位置する無線フレーム及びサブフレームを特定する。
【００３７】
（４）ＵＥは、ＭＣＣＨで送信されるＭＢＳＦＮエリアコンフィギュレーションメッセージを取得する。
【００３８】
（５）ＵＥは、ＭＢＳＦＮエリアコンフィギュレーションメッセージに含まれる共通サブフレーム割当て及び共通サブフレーム割当て期間から、ＭＢＳＦＮ用のサブフレームを特定する。なお、ＭＢＳＦＮ用のサブフレームは、（２）においてＳＩＢ２から特定されてもよい。
【００３９】
（６）ＵＥは、ＭＢＳＦＮエリアコンフィギュレーションメッセージに含まれるＰＭＣＨ情報リストから、所望のＭＢＭＳセッションがマッピングされているＰＭＣＨを特定する。即ち、ＵＥは、所望のＭＢＭＳセッションがマッピングされているＰＭＣＨに割り当てられるサブフレームを特定する。
【００４０】
（７）ＵＥは、上記所望のＭＢＭＳセッションがマッピングされているＰＭＣＨで送信されるＭＳＩから、当該所望のＭＢＭＳがマッピングされている無線リソース（サブフレーム）を特定する。
【００４１】
（８）ＵＥは、特定された無線リソース（サブフレーム）で送信される上記所望のＭＢＭＳセッションを受信し、取得する。
【００４２】
このような（１）〜（８）の動作が、ＣＣごとに行われる。
【００４３】
＜＜２．通信システムの概略的な構成＞＞
続いて、図７を参照して、本開示の実施形態に係る通信システム１の概略的な構成を説明する。図７は、本実施形態に係る通信システム１の概略的な構成の一例を示す説明図である。図７を参照すると、通信システム１は、基地局１００及び端末装置２００を含む。例えば、通信システム１は、例えば、ＬＴＥ、ＬＴＥ−Ａｄｖａｎｃｅｄ、又はこれらに準ずる通信方式に従ったシステムである。
【００４４】
基地局１００は、セル１０内に位置する端末装置２００との無線通信を行う。また、基地局１００は、キャリアアグリゲーションをサポートする。即ち、基地局１００は、１つの端末装置２００との無線通信に複数のコンポーネントキャリア（ＣＣ）を同時に使用することができる。
【００４５】
端末装置２００は、セル１０に位置する場合に基地局１００との無線通信を行う。また、端末装置２００は、キャリアアグリゲーションをサポートし、基地局１００との無線通信に複数のＣＣを同時に使用することができる。
【００４６】
なお、図７には、１つの基地局１００及び１つの端末装置２００のみが示されているが、当然ながら、通信システム１は、２つ以上の基地局１００及び／又は２つ以上の端末装置２００を含み得る。
【００４７】
＜＜３．第１の実施形態＞＞
続いて、図８〜図１８を参照して、本開示の第１の実施形態を説明する。
【００４８】
本開示の実施形態では、基地局１００は、第１のＣＣで、当該第１のＣＣを含む２つ以上のＣＣのＰＭＣＨを特定するための特定情報を送信する。とりわけ第１の実施形態では、当該特定情報は、上記２つ以上のＣＣについてのＭＣＣＨスケジューリング情報である。即ち、基地局１００は、第１のＣＣで、当該第１のＣＣを含む２つ以上のＣＣについてのＭＣＣＨスケジューリング情報を送信する。これにより、例えば、端末装置２００にとってのＭＢＭＳに関する負担を軽減することが可能になる。
【００４９】
＜３．１．基地局の構成＞
まず、図８〜図１４を参照して、第１の実施形態に係る基地局１００−１の構成の一例を説明する。図８は、第１の実施形態に係る基地局１００−１の構成の一例を示すブロック図である。図８を参照すると、基地局１００−１は、アンテナ部１１０、無線通信部１２０、ネットワーク通信部１３０、記憶部１４０及び処理部１５０を備える。
【００５０】
（アンテナ部１１０）
アンテナ部１１０は、無線通信部１２０により出力される信号を電波として空間に放射する。また、アンテナ部１１０は、空間の電波を信号に変換し、当該信号を無線通信部１２０へ出力する。
【００５１】
（無線通信部１２０）
無線通信部１２０は、無線通信を行う。例えば、無線通信部１２０は、セル１０内に位置する端末装置２００−１へのダウンリンク信号を送信し、セル１０内に位置する端末装置２００−１からのアップリンク信号を受信する。また、無線通信部１２０は、複数のＣＣの各々での無線通信を行う。
【００５２】
（ネットワーク通信部１３０）
ネットワーク通信部１３０は、他のノードと通信する。例えば、ネットワーク通信部１３０は、他の基地局と通信する。また、ネットワーク通信部１３０は、コアネットワークノード（例えば、Ｓ−ＧＷ（Serving  Gateway）及びＭＭＥ（Mobility  Management  Entity）など）と通信する。
【００５３】
（記憶部１４０）
記憶部１４０は、基地局１００−１の動作のためのプログラム及びデータを一時的にまたは恒久的に記憶する。
【００５４】
（処理部１５０）
処理部１５０は、基地局１００−１の様々な機能を提供する。処理部１５０は、情報取得部１５１及び通信制御部１５３を含む。
【００５５】
（情報取得部１５１）
情報取得部１５１は、第１のＣＣを含む２つ以上のＣＣのＰＭＣＨを特定するために用いられる特定情報を取得する。
【００５６】
とりわけ第１の実施形態では、上記特定情報は、上記２つ以上のＣＣについての、ＭＣＣＨのスケジューリング情報（以下、「ＭＣＣＨスケジューリング情報」と呼ぶ）である。即ち、情報取得部１５１は、上記２つ以上のＣＣについてのＭＣＣＨスケジューリング情報を取得する。なお、ＭＣＣＨスケジューリング情報は、例えば、ＭＣＣＨが位置する無線フレーム及びサブフレームを示す情報である。
【００５７】
−システム情報ブロック（ＳＩＢ）
例えば、情報取得部１５１は、上記２つ以上のＣＣについての上記ＭＣＣＨスケジューリング情報を含む所定のシステム情報ブロック（ＳＩＢ）を取得する。当該所定のＳＩＢは、例えば上記第１のＣＣのためのＳＩＢである。また、上記所定のＳＩＢは、例えばＳＩＢ１３（ＳＩＢタイプ１３とも言う）である。
【００５８】
−個別のＭＣＣＨスケジューリング情報
上記２つ以上のＣＣについての上記ＭＣＣＨスケジューリング情報は、１つ以上の個別のＭＣＣＨスケジューリング情報を含む。また、当該１つ以上の個別のＭＣＣＨスケジューリング情報の各々は、上記２つ以上のＣＣのうちの少なくとも１つのＣＣについてのＭＣＣＨスケジューリング情報である。
【００５９】
また、例えば、上記所定のＳＩＢは、上記１つ以上の個別のＭＣＣＨスケジューリング情報と、上記１つ以上の個別のＭＣＣＨスケジューリング情報の各々に対応するＣＣの識別情報とを含む。当該識別情報は、例えばセルＩＤ（Cell  Identity）である。これにより、例えば、端末装置２００−１は、上記所定のＳＩＢ内の個別のＭＣＣＨスケジューリング情報がいずれのＣＣのものかを識別することができる。
【００６０】
−−ＣＣごとの個別のＭＣＣＨスケジューリング情報
例えば、上記ＭＣＣＨスケジューリング情報は、上記２つ以上のＣＣの各々についての個別のＭＣＣＨスケジューリング情報を含む。即ち、情報取得部１５１は、上記２つ以上のＣＣの各々についての個別のＭＣＣＨスケジューリング情報を含む上記所定のＳＩＢを取得する。以下、この点について、図９を参照して具体例を説明する。
【００６１】
図９は、２つ以上のＣＣについてのＭＣＣＨスケジューリング情報を含むＳＩＢ１３の第１の例を説明するための説明図である。図９を参照すると、ＣＣ１のためのＳＩＢ１３が示されている。この例では、基地局１００−１は、ＣＣ１〜ＣＣ５を使用し、ＳＩＢ１３は、ＣＣ１〜ＣＣ５の各々についての個別のＭＣＣＨスケジューリング情報を含む。また、ＳＩＢ１３は、５つの個別のＭＣＣＨスケジューリング情報の各々に対応するＣＣのセルＩＤを含む。なお、ＣＣのセルＩＤは、当該ＣＣについての個別のＭＣＣＨスケジューリング情報に関連付けられている。即ち、ＣＣ１のセルＩＤは、ＣＣ１についての個別のＭＣＣＨスケジューリング情報に関連付けられている。また、ＣＣ３のセルＩＤは、ＣＣ３についての個別のＭＣＣＨスケジューリング情報に関連付けられている。
【００６２】
これにより、例えば、ＭＣＣＨのスケジューリングをＣＣごとに行うことが可能になる。
【００６３】
なお、上記所定のＳＩＢ（例えば、ＳＩＢ１３）は、基地局１００−１により使用される全てのＣＣ（例えば、ＣＣ１〜ＣＣ５）についてのＭＣＣＨスケジューリング情報を含まず、一部のＣＣについてのＭＣＣＨスケジューリング情報を含んでもよい。即ち、上記２つ以上のＣＣは、全てのＣＣ（例えば、ＣＣ１〜ＣＣ５）ではなく、一部のＣＣであってもよい。また、当該一部のＣＣは、上記ＭＣＣＨスケジューリング情報が送信されるＣＣによって異なってもよい。以下、この点について図１０を参照して具体例を説明する。
【００６４】
図１０は、２つ以上のＣＣについてのＭＣＣＨスケジューリング情報を含むＳＩＢ１３の第２の例を説明するための説明図である。図１０を参照すると、ＣＣ１のためのＳＩＢ１３と、ＣＣ５のためのＳＩＢ１３とが示されている。この例では、基地局１００−１は、ＣＣ１〜ＣＣ５を使用し、ＣＣ１のためのＳＩＢ１３は、ＣＣ１〜ＣＣ３の各々についての個別のＭＣＣＨスケジューリング情報を含む。また、ＣＣ５のためのＳＩＢ１３は、ＣＣ３〜ＣＣ５の各々についての個別のＭＣＣＨスケジューリング情報を含む。このように、必ずしも各ＣＣのためのＳＩＢ１３（即ち、各ＣＣで送信されるＳＩＢ１３）に、基地局１００−１により使用される全てのＣＣについてのＭＣＣＨスケジューリング情報が含まれなくてもよい。
【００６５】
−−ＣＣの間で共通のＭＣＣＨスケジューリング情報
上記１つ以上の個別のＭＣＣＨスケジューリング情報は、上記２つ以上のＣＣに含まれる少なくとも２つのＣＣの間で共通のＭＣＣＨスケジューリング情報を含んでもよい。即ち、情報取得部１５１は、上記少なくとも２つのＣＣの間で共通のＭＣＣＨスケジューリング情報を含む上記所定のＳＩＢを取得してもよい。以下、この点について、図１１及び図１２を参照して具体例を説明する。
【００６６】
図１１は、２つ以上のＣＣについてのＭＣＣＨスケジューリング情報を含むＳＩＢ１３の第３の例を説明するための説明図である。図１１を参照すると、ＣＣ１のためのＳＩＢ１３が示されている。この例では、基地局１００−１は、ＣＣ１〜ＣＣ５を使用し、ＣＣ１〜ＣＣ５の間でＭＣＣＨのスケジューリングは同一である。そのため、ＳＩＢ１３は、ＣＣ１〜ＣＣ５の間で共通のＭＣＣＨスケジューリグ情報を含む。また、ＳＩＢ１３は、上記ＭＣＣＨスケジューリング情報に対応するＣＣ１〜ＣＣ５のセルＩＤを含む。なお、ＣＣ１〜ＣＣ５のセルＩＤは、ＣＣ１〜ＣＣ５の間で共通の上記ＭＣＣＨスケジューリング情報に関連付けられている。
【００６７】
図１２は、２つ以上のＣＣについてのＭＣＣＨスケジューリング情報を含むＳＩＢ１３の第４の例を説明するための説明図である。図１２を参照すると、ＣＣ１のためのＳＩＢ１３が示されている。この例では、基地局１００−１は、ＣＣ１〜ＣＣ５を使用し、ＣＣ１とＣＣ２との間でＭＣＣＨのスケジューリングは同一である。そのため、ＳＩＢ１３は、ＣＣ１とＣＣ２との間で共通のＭＣＣＨスケジューリグ情報を含む。また、ＳＩＢ１３は、上記ＭＣＣＨスケジューリング情報に対応するＣＣ１及びＣＣ２のセルＩＤを含む。なお、ＣＣ１及びＣＣ２のセルＩＤは、ＣＣ１とＣＣ２との間で共通の上記ＭＣＣＨスケジューリング情報に関連付けられている。
【００６８】
このようにＣＣの間で共通のＭＣＣＨスケジューリング情報が用いられてもよい。これにより、例えば、送信される情報が減少する。その結果、例えば、消費される無線リソース（例えば、ＳＩＢに使用される無線リソース）が減少し得る。また、例えば、基地局１００−１の消費電力が低減され得る。
【００６９】
−ＭＣＣＨスケジューリング情報に含まれる具体的な情報
例えば、上記ＭＣＣＨスケジューリング情報は、ＭＣＣＨオフセット、ＭＣＣＨ反復期間（MCCH  Repetition  Period）及びサブフレーム割当て情報（Subframe  Allocation  Information）を含む。これにより、例えば、ＭＣＣＨが特定される。即ち、ＭＣＣＨが位置する無線フレーム及びサブフレームが特定される。以下、この点について図１３及び図１４を参照して具体例を説明する。
【００７０】
図１３は、ＭＣＣＨが位置する無線フレーム及びサブフレームの第１の例を説明するための説明図である。図１３を参照すると、複数の無線フレームと、当該複数の無線フレームのうちの１つの無線フレームに含まれる１０のサブフレームとが、示されている。ＭＣＣＨ反復周期は、ＭＣＣＨが位置する無線フレームの周期を示し、ＭＣＣＨオフセットは、上記周期の開始時点を示す。例えば、「ＳＦＮ  ｍｏｄ  ＭＣＣＨ反復周期  ＝  ＭＣＣＨオフセット」を満たすＳＦＮ（System  Frame  Number）の無線フレームが、ＭＣＣＨが位置する無線フレームとなる。この例では、ＭＣＣＨ反復周期は６であり、ＭＣＣＨオフセットは０である。よって、ＳＦＮが０、６、１２などである無線フレームが、ＭＣＣＨが位置する無線フレームである。このように、ＭＣＣＨ反復周期及びＭＣＣＨオフセットから、ＭＣＣＨが位置する無線フレームが特定される。また、サブフレーム割当て情報は、無線フレームに含まれる１０のサブフレームのうちの、ＭＣＣＨが位置するサブフレーム（この例では、サブフレーム番号が１、６であるサブフレーム）を示す。よって、サブフレーム割当て情報から、ＭＣＣＨが位置するサブフレームが特定される。
【００７１】
図１４は、ＭＣＣＨが位置する無線フレーム及びサブフレームの第２の例を説明するための説明図である。図１４を参照すると、この例では、ＭＣＣＨ反復周期は３であり、ＭＣＣＨオフセットは２である。よって、ＳＦＮが２、５、８、１１、１４、１７などである無線フレームが、ＭＣＣＨが位置する無線フレームである。また、この例では、サブフレーム割当て情報は、サブフレーム番号が３、８であるサブフレームを示し、これらのサブフレームが、ＭＣＣＨが位置するサブフレームである。このように、ＭＣＣＨが位置する無線フレーム及びサブフレームが特定される。
【００７２】
以上、とりわけ上記第１のＣＣ（例えば、ＣＣ１）に着目して情報取得部１５１を説明した。当然ながら、情報取得部１５１は、別のＣＣ（例えば、ＣＣ２〜ＣＣ５の各々）のための所定のＳＩＢ（例えば、ＳＩＢ１３）を取得し得る。そして、当該所定のＳＩＢは、当該別のＣＣを含む２つ以上のＣＣについてのＭＣＣＨスケジューリング情報を含み得る。
【００７３】
（通信制御部１５３）
通信制御部１５３は、上記第１のＣＣでの上記特定情報の送信を制御する。
【００７４】
とりわけ第１の実施形態では、例えば、通信制御部１５３は、上記第１のＣＣでの上記所定のＳＩＢの送信を制御する。上述したように、当該所定のＳＩＢは、上記２つ以上のＣＣについてのＭＣＣＨスケジューリング情報を含む。
【００７５】
具体的には、一例として、通信制御部１５３は、上記送信の制御として、上記第１のＣＣの無線リソースのうちの、上記所定のＳＩＢ（例えば、ＳＩＢ１３）にスケジューリングされた無線リソースに、上記ＳＩＢ１３の信号をマッピングする。これにより、上記第１のＣＣでＳＩＢ１３が送信される。即ち、上記２つ以上のＣＣについての上記ＭＣＣＨスケジューリング情報が上記第１のＣＣで送信される。
【００７６】
別の例として、通信制御部１５３は、上記送信の制御として、上記第１のＣＣでの上記所定のＳＩＢの送信をトリガしてもよい。具体的には、通信制御部１５３は、上記送信の制御として、上記第１のＣＣでの上記所定のＳＩＢの送信を基地局１００−１の別の構成要素（例えば、処理部１５０に含まれる別の要素）に指示してもよい。これにより、上記第１のＣＣでＳＩＢ１３が送信されてもよい。
【００７７】
以上のように、第１のＣＣを含む２つ以上のＣＣについてのＭＣＣＨスケジューリング情報が、当該第１のＣＣで送信される。これにより、例えば、キャリアアグリゲーションをサポートする端末装置２００−１にとってのＭＢＭＳに関する負担を軽減することが可能になる。より具体的には、例えば、端末装置２００−１は、２つ以上のＣＣを使用する場合であっても、当該２つ以上のＣＣの各々でＭＣＣＨスケジューリング情報を受信し、取得しなくてもよく、例えば１つのＣＣで、上記２つ以上のＣＣについてのＭＣＣＨスケジューリング情報を受信し、取得し得る。そのため、ＭＣＣＨが位置する無線リソース（即ち、無線フレーム及びサブフレーム）を特定するのに端末装置２００−１にかかる負担が軽減され得る。
【００７８】
一例として、ＣＣの通信品質の変化に応じてＭＢＭＳセッションを受信するためのＣＣが頻繁に変わる場合であっても、端末装置２００−１はＣＣが変わるたびにＭＣＣＨスケジューリング情報を取得する必要はない。別の例として、図５に示されるように各ＣＣで同一のＭＢＭＳセッションが送信され、端末装置２００−１が、通信品質が良好なＣＣでＭＢＭＳセッションを受信する場合でも、端末装置２００−１は各ＣＣでＭＣＣＨスケジューリング情報を取得する必要はない。さらに別の例として、図６に示されるように各ＣＣで同一のＭＢＭＳセッションの別々のパートが送信され、端末装置２００−１が各ＣＣで別々のパートを受信する場合でも、端末装置２００−１は各ＣＣでＭＣＣＨスケジューリング情報を取得する必要はない。このように、端末装置２００−１にかかる負担が軽減され得る。
【００７９】
以上、とりわけ上記第１のＣＣ（例えば、ＣＣ１）に着目して通信制御部１５３を説明した。当然ながら、通信制御部１５３は、別のＣＣ（例えば、ＣＣ２〜ＣＣ５の各々）での所定のＳＩＢの送信を制御し得る。また、当該所定のＳＩＢは、上記別のＣＣを含む２つ以上のＣＣについてのＭＣＣＨスケジューリング情報を含み得る。
【００８０】
＜３．２．端末装置の構成＞
次に、図１５を参照して、第１の実施形態に係る端末装置２００−１の構成の一例を説明する。図１５は、第１の実施形態に係る端末装置２００−１の構成の一例を示すブロック図である。図１５を参照すると、端末装置２００−１は、アンテナ部２１０、無線通信部２２０、記憶部２３０、入力部２４０、表示部２５０及び処理部２６０を備える。
【００８１】
（アンテナ部２１０）
アンテナ部２１０は、無線通信部２２０により出力される信号を電波として空間に放射する。また、アンテナ部２１０は、空間の電波を信号に変換し、当該信号を無線通信部２２０へ出力する。
【００８２】
（無線通信部２２０）
無線通信部２２０は、無線通信を行う。例えば、無線通信部２２０は、端末装置２００−１がセル１０内に位置する場合に、基地局１００−１からのダウンリンク信号を受信し、基地局１００−１へのアップリンク信号を送信する。
【００８３】
（記憶部２３０）
記憶部２３０は、端末装置２００−１の動作のためのプログラム及びデータを一時的にまたは恒久的に記憶する。
【００８４】
（入力部２４０）
入力部２４０は、端末装置２００−１のユーザによる入力を受け付ける。そして、入力部２４０は、入力結果を処理部２６０に提供する。
【００８５】
（表示部２５０）
表示部２５０は、端末装置２００−１の画面（即ち、画像）を表示する。例えば、表示部２５０は、処理部２６０（表示制御部２６５）による制御に応じて、画面を表示する。
【００８６】
（処理部２６０）
処理部２６０は、端末装置２００−１の様々な機能を提供する。処理部２６０は、情報取得部２６１、通信制御部２６３及び表示制御部２６５を含む。
【００８７】
（情報取得部２６１）
情報取得部２６１は、第１のＣＣを含む２つ以上のＣＣのＰＭＣＨを特定するために用いられる特定情報であって、基地局１００−１により上記第１のＣＣで送信される上記特定情報を取得する。
【００８８】
とりわけ第１の実施形態では、上記特定情報は、上記２つ以上のＣＣについてのＭＣＣＨスケジューリング情報である。即ち、情報取得部２６１は、上記２つ以上のＣＣについてのＭＣＣＨスケジューリング情報を取得する。
【００８９】
上述したように、例えば、上記ＭＣＣＨスケジューリング情報は、所定のＳＩＢ（例えば、ＳＩＢ１３）に含まれ、情報取得部２６１は、上記所定のＳＩＢに含まれる上記ＭＣＣＨスケジューリング情報を取得する。当該所定のＳＩＢは、例えば上記第１のＣＣのＳＩＢである。
【００９０】
なお、上記ＭＣＣＨスケジューリング情報の内容は、基地局１００−１に関連して説明したとおりである。
【００９１】
以上、とりわけ上記第１のＣＣに着目して情報取得部２６１を説明した。当然ながら、別のＣＣを含む２つ以上のＣＣについてのＭＣＣＨスケジューリング情報が、当該別のＣＣについての所定のＳＩＢに含まれ得る。そして、情報取得部２６１は、当該所定のＳＩＢに含まれる上記ＭＣＣＨスケジューリング情報を取得し得る。
【００９２】
（通信制御部２６３）
通信制御部２６３は、上記特定情報に基づいて、上記２つ以上のＣＣに含まれるＣＣのＰＭＣＨを特定する。
【００９３】
とりわけ第１の実施形態では、上記特定情報は、上記２つ以上のＣＣについてのＭＣＣＨスケジューリング情報である。即ち、通信制御部２６３は、上記２つ以上のＣＣについてのＭＣＣＨスケジューリング情報に基づいて、当該２つ以上のＣＣに含まれるＣＣのＰＭＣＨを特定する。
【００９４】
より具体的には、例えば、通信制御部２６３は、上記２つ以上のＣＣについてのＭＣＣＨスケジューリング情報に基づいて、上記２つ以上のＣＣのうちの少なくとも１つのＣＣのＭＣＣＨを特定する。即ち、通信制御部２６３は、当該ＭＣＣＨが位置する無線フレーム及びサブフレームを特定する。そして、通信制御部２６３は、上記少なくとも１つのＣＣの各々について、特定されたＭＣＣＨで送信されるＭＢＳＦＮエリアコンフィギュレーションメッセージを取得する。さらに、通信制御部２６３は、上記ＭＢＳＦＮエリアコンフィギュレーションメッセージに基づいて、所望のＭＢＭＳセッションがマッピングされているＰＭＣＨを特定する。即ち、通信制御部２６３は、所望のＭＢＭＳセッションがマッピングされているＰＭＣＨに割り当てられるサブフレームを特定する。そして、通信制御部２６３は、特定される上記ＰＭＣＨで送信される上記所望のＭＢＭＳセッションを取得する。即ち、通信制御部２６３は、特定される上記ＰＭＣＨで送信されるＭＳＩから、上記所望のＭＢＭＳセッションがマッピングされている無線リソース（サブフレーム）を特定し、特定される当該無線リソースで送信される上記所望のＭＢＭＳセッションを取得する。
【００９５】
以上、とりわけ上記第１のＣＣで送信される、上記２つ以上のＣＣについてのＭＣＣＨスケジューリング情報に着目して、通信制御部２６３を説明した。当然ながら、通信制御部２６３は、別のＣＣで送信される、当該別のＣＣを含む２つ以上のＣＣについてのＭＣＣＨスケジューリング情報に基づいて、当該２つ以上のＣＣに含まれるＣＣのＰＭＣＨを特定し得る。
【００９６】
（表示制御部２６５）
表示制御部２６５は、表示部２５０による画面の表示を制御する。例えば、表示制御部２６５は、表示部２５０により表示される画面を生成し、当該画面を表示部２５０に表示させる。
【００９７】
＜３．３．処理の流れ＞
次に、図１６及び図１７を参照して、第１の実施形態に係る通信制御処理の例を説明する。
【００９８】
（基地局における通信制御処理）
図１６は、第１の実施形態に係る基地局１００−１の通信制御処理の概略的な流れの一例を示すフローチャートである。
【００９９】
情報取得部１５１は、２つ以上のＣＣについてのＭＣＣＨスケジューリング情報を含む所定のＳＩＢ（例えば、ＳＩＢ１３）を取得する（Ｓ３０１）。当該２つ以上のＣＣは、第１のＣＣを含む。
【０１００】
通信制御部１５３は、上記第１のＣＣでの上記所定のＳＩＢの送信を制御する（Ｓ３０３）。その結果、上記第１のＣＣでＳＩＢ１３が送信される。そして、処理は終了する。
【０１０１】
（端末装置における通信制御処理）
図１７は、第１の実施形態に係る端末装置２００−１の通信制御処理の概略的な流れの一例を示すフローチャートである。
【０１０２】
情報取得部２６１は、２つ以上のＣＣについてのＭＣＣＨスケジューリング情報を取得する（Ｓ３１１）。より具体的には、当該２つ以上のＣＣは、第１のＣＣを含み、上記ＭＣＣＨスケジューリング情報を含む所定のＳＩＢ（例えば、ＳＩＢ１３）が、当該第１のＣＣで送信され、情報取得部２６１は、当該所定のＳＩＢに含まれる上記ＭＣＣＨスケジューリング情報を取得する。
【０１０３】
次に、通信制御部２６３は、上記ＭＣＣＨスケジューリング情報に基づいて、上記２つ以上のＣＣのうちの少なくとも１つのＣＣのＭＣＣＨを特定する（Ｓ３１３）。そして、通信制御部２６３は、上記少なくとも１つのＣＣの各々について、特定された上記ＭＣＣＨで送信されるＭＢＳＦＮエリアコンフィギュレーションメッセージを取得する（Ｓ３１５）。
【０１０４】
さらに、通信制御部２６３は、上記ＭＢＳＦＮエリアコンフィギュレーションメッセージに基づいて、所望のＭＢＭＳセッションがマッピングされているＰＭＣＨを特定する（Ｓ３１７）。即ち、通信制御部２６３は、所望のＭＢＭＳセッションがマッピングされているＰＭＣＨに割り当てられるサブフレームを特定する。
【０１０５】
その後、通信制御部２６３は、特定された上記ＰＭＣＨで送信される上記所望のＭＢＭＳセッションを取得する（Ｓ３１９）。即ち、通信制御部２６３は、特定される上記ＰＭＣＨで送信されるＭＳＩから、上記所望のＭＢＭＳセッションがマッピングされている無線リソース（サブフレーム）を特定し、特定される当該無線リソースで送信される上記所望のＭＢＭＳセッションを取得する。そして、処理は終了する。
【０１０６】
＜３．４．変形例＞
次に、図１８を参照して第１の実施形態の変形例を説明する。第１の実施形態の変形例によれば、上記所定のＳＩＢ（例えば、ＳＩＢ１３）は、上記２つ以上のＣＣについての上記ＭＣＣＨスケジューリング情報に加えて、上記２つ以上のＣＣについての別の情報をさらに含む。
【０１０７】
（基地局１００−１：情報取得部１５１）
−システム情報ブロック（ＳＩＢ）
第１の実施形態の変形例では、上記所定のＳＩＢ（例えば、ＳＩＢ１３）は、上記２つ以上のＣＣについての別の情報をさらに含む。
【０１０８】
−−通知情報
例えば、上記所定のＳＩＢは、ＭＣＣＨの変更を示すために用いられる情報の所在を端末装置２００−１に通知する通知情報であって、上記２つ以上のＣＣについての上記通知情報をさらに含む。
【０１０９】
より具体的には、例えば、上記通知情報は、通知インジケータ（Notification  Indicator）及び通知コンフィギュレーション（Notification  Configuration）のうちの少なくとも一方を含む。上記通知インジケータは、ＭＣＣＨの変更を端末装置２００−１に通知するためのどのＰＤＣＣＨビットが使用されるかを示す。また、上記通知コンフィギュレーションは、ＭＣＣＨ情報変更通知を送信するのに使用される無線フレーム及びサブフレームを示す。
【０１１０】
例えば、上記通知情報は、１つ以上の個別の通知情報を含む。即ち、上記所定のＳＩＢは、当該１つ以上の個別の通知情報を含む。以下、この点について図１８を参照して具体例を説明する。
【０１１１】
図１８は、２つ以上のＣＣについての通知情報を含むＳＩＢ１３の一例を説明するための説明図である。図１８を参照すると、ＣＣ１のためのＳＩＢ１３が示されている。この例では、基地局１００−１は、ＣＣ１〜ＣＣ５を使用し、ＳＩＢ１３は、ＣＣ１〜ＣＣ５の各々についての個別の通知情報を含む。また、５つの個別の通知情報には、対応するＣＣについてのセルＩＤが関連付けられている。
【０１１２】
なお、図１８の例は、上記所定のＳＩＢがＣＣごとの個別の通知情報を含む例であるが、別の例として、上記所定のＳＩＢはＣＣの間で共通の通知情報を含んでもよい。
【０１１３】
以上のように２つ以上のＣＣについての通知情報が、上記所定のＳＩＢに含まれる。これにより、例えば、キャリアアグリゲーションをサポートする端末装置２００−１にとってのＭＢＭＳに関する負担が軽減される。より具体的には、例えば、端末装置２００−１は、２つ以上のＣＣを使用する場合であっても、当該２つ以上のＣＣの各々で通知情報を受信し、取得しなくてもよく、例えば１つのＣＣで、上記２つ以上のＣＣについての通知情報を受信し、取得することができる。そのため、ＭＣＣＨの変更を示すために用いられる情報の所在を特定するのに端末装置２００−１にかかる負担が軽減され得る。
【０１１４】
−−その他
例えば、上記所定のＳＩＢは、上記２つ以上のＣＣについての別の情報として、上記２つ以上のＣＣについてのＭＢＳＦＮエリアＩＤ、非ＭＢＳＦＮ領域長（Non-MBSFN  Region  Length）及び／又はシグナリングＭＣＳ（Modulation  and  Coding  Scheme）などをさらに含む。これにより、例えば、キャリアアグリゲーションをサポートする端末装置２００−１にとってのＭＢＭＳに関する負担が軽減される。
【０１１５】
（端末装置２００−１：情報取得部２６１）
第１の実施形態の変形例では、情報取得部２６１は、上記２つ以上のＣＣについての別の情報をさらに取得する。
【０１１６】
例えば、上述したように、上記所定のＳＩＢは、上記２つ以上のＣＣについての上記通知情報を含み、情報取得部２６１は、上記所定のＳＩＢに含まれる上記通知情報を取得する。
【０１１７】
また、上記所定のＳＩＢは、上記２つ以上のＣＣについての別の情報として、上記２つ以上のＣＣについてのＭＢＳＦＮエリアＩＤ、非ＭＢＳＦＮ領域長及び／又はシグナリングＭＣＳなどをさらに含み、情報取得部２６１は、これらの情報を取得する。
【０１１８】
（端末装置２００−１：情報取得部２６１）
第１の実施形態の変形例では、例えば、通信制御部２６３は、上記通知情報に基づいて、ＭＣＣＨの変更を示すために用いられる情報の所在を特定する。
【０１１９】
また、例えば、通信制御部２６３は、上記非ＭＢＳＦＮ領域長に基づいて、ＭＢＳＦＮフレームのうちの非ＭＢＳＦＮ領域の長さを特定する。また、例えば、通信制御部２６３は、上記シグナリングＭＣＳに基づいて、適用可能なＭＣＳを特定する。
【０１２０】
＜＜４．第２の実施形態＞＞
続いて、図１９〜図３７を参照して、本開示の第２の実施形態を説明する。
【０１２１】
本開示の実施形態では、基地局１００は、第１のＣＣで、当該第１のＣＣを含む２つ以上のＣＣのＰＭＣＨを特定するための特定情報を送信する。とりわけ第２の実施形態では、当該特定情報は、上記２つ以上のＣＣについてのＭＢＳＦＮエリアコンフィギュレーション情報である。即ち、基地局１００は、第１のＣＣで、当該第１のＣＣを含む２つ以上のＣＣについてのＭＢＳＦＮエリアコンフィギュレーション情報を送信する。これにより、例えば、端末装置２００にとってのＭＢＭＳに関する負担を軽減することが可能になる。
【０１２２】
＜４．１．基地局の構成＞
まず、図１９〜図２５を参照して、第１の実施形態に係る基地局１００−２の構成の一例を説明する。図１９は、第２の実施形態に係る基地局１００−２の構成の一例を示すブロック図である。図１９を参照すると、基地局１００−２は、アンテナ部１１０、無線通信部１２０、ネットワーク通信部１３０、記憶部１４０及び処理部１６０を備える。
【０１２３】
ここで、アンテナ部１１０、無線通信部１２０、ネットワーク通信部１３０及び記憶部１４０については、第１の実施形態と第２の実施形態との間に特段の差異はない。よって、ここでは、処理部１６０のみを説明する。
【０１２４】
（処理部１６０）
処理部１６０は、基地局１００−２の様々な機能を提供する。処理部１６０は、情報取得部１６１及び通信制御部１６３を含む。
【０１２５】
（情報取得部１６１）
情報取得部１６１は、第１のＣＣを含む２つ以上のＣＣＰＭＣＨを特定するために用いられる特定情報を取得する。
【０１２６】
とりわけ第２の実施形態では、上記特定情報は、上記２つ以上のＣＣについてのＭＢＳＦＮエリアコンフィギュレーション情報である。即ち、情報取得部１６１は、上記２つ以上のＣＣについてのＭＢＳＦＮエリアコンフィギュレーション情報を取得する。
【０１２７】
−ＭＢＳＦＮエリアコンフィギュレーションメッセージ
上記ＭＢＳＦＮエリアコンフィギュレーション情報は、例えば、１つ以上のＭＢＳＦＮエリアコンフィギュレーションメッセージを含む。また、上記１つ以上のＭＢＳＦＮエリアコンフィギュレーションメッセージの各々は、上記２つ以上のＣＣのうちの少なくとも１つのＣＣについてのＭＢＳＦＮエリアコンフィギュレーションメッセージである。
【０１２８】
−−ＣＣごとのＭＢＳＦＮエリアコンフィギュレーションメッセージ
例えば、上記ＭＢＳＦＮエリアコンフィギュレーション情報は、上記２つ以上のＣＣの各々についてのＭＢＳＦＮエリアコンフィギュレーションメッセージを含む。即ち、情報取得部１６１は、上記２つ以上のＣＣの各々についてのＭＢＳＦＮエリアコンフィギュレーションメッセージを取得する。以下、この点について、図２０を参照して具体例を説明する。
【０１２９】
図２０は、ＭＢＳＦＮエリアコンフィギュレーション情報の一例を説明するための説明図である。図２０を参照すると、ＭＢＳＦＮエリアコンフィギュレーション情報として、５つのＭＢＳＦＮエリアコンフィギュレーションメッセージが示されている。この例では、基地局１００−２は、ＣＣ１〜ＣＣ５を使用し、ＭＢＳＦＮエリアコンフィギュレーション情報は、ＣＣ１〜ＣＣ５の各々についてのＭＢＳＦＮエリアコンフィギュレーションメッセージを含む。
【０１３０】
なお、上記ＭＢＳＦＮエリアコンフィギュレーション情報は、基地局１００−２により使用される全てのＣＣの全てについてのＭＢＳＦＮエリアコンフィギュレーションメッセージを含まず、一部のＣＣについてのＭＢＳＦＮエリアコンフィギュレーションメッセージを含んでもよい。一例として、上記ＭＢＳＦＮエリアコンフィギュレーション情報は、基地局１００−２により使用されるＣＣ１〜ＣＣ５ではなく、ＣＣ１〜ＣＣ３についてのＭＢＳＦＮエリアコンフィギュレーションメッセージを含んでもよい。即ち、上記２つ以上のＣＣは、全てのＣＣ（例えば、ＣＣ１〜ＣＣ５）ではなく、一部のＣＣ（例えば、ＣＣ１〜ＣＣ３）であってもよい。また、当該一部のＣＣは、上記ＭＢＳＦＮエリアコンフィギュレーション情報が送信されるＣＣによって異なってもよい。
【０１３１】
−−ＣＣの間で共通のＭＢＳＦＮエリアコンフィギュレーションメッセージ
上記１つ以上のＭＢＳＦＮエリアコンフィギュレーションメッセージは、上記２つ以上のＣＣに含まれる少なくとも２つのＣＣの間で共通のＭＢＳＦＮエリアコンフィギュレーションメッセージを含んでもよい。即ち、情報取得部１６１は、上記少なくとも２つのＣＣの間で共通のＭＢＳＦＮエリアコンフィギュレーションメッセージを取得してもよい。
【０１３２】
一例として、基地局１００−２は、ＣＣ１〜ＣＣ５を使用し、ＣＣ１〜ＣＣ５の間でＭＢＳＦＮエリアコンフィギュレーションメッセージが同一であってもよい。この場合に、情報取得部１６１は、ＣＣ１〜ＣＣ５の間で共通のＭＢＳＦＮエリアコンフィギュレーションメッセージを取得してもよい。あるいは、少なくとも２つのＣＣ（例えば、ＣＣ１及びＣＣ２）の間でＭＢＳＦＮエリアコンフィギュレーションメッセージが同一であってもよい。この場合に、情報取得部１６１は、上記少なくとも２つのＣＣ（例えば、ＣＣ１及びＣＣ２）の間で共通のＭＢＳＦＮエリアコンフィギュレーションメッセージ、及び、残りのＣＣ（ＣＣ３〜ＣＣ５）の各々についてのＭＢＳＦＮエリアコンフィギュレーションメッセージを取得してもよい。
【０１３３】
−ＭＢＳＦＮエリアコンフィギュレーションメッセージに含まれる具体的な情報
例えば、ＭＢＳＦＮエリアコンフィギュレーションメッセージは、共通サブフレーム割当て（Common  Subframe  Allocation）、共通サブフレーム割当て期間（Common  Subframe  Allocation  Period）及びＰＭＣＨ情報リスト（PMCH  Information  List）を含む。これにより、例えば、ＰＭＣＨが特定される。即ち、ＰＭＣＨが位置するサブフレームが特定される。以下、この点について図２１を参照して具体例を説明する。
【０１３４】
図２１は、ＰＭＣＨが位置するサブフレームの一例を説明するための説明図である。図２１を参照すると、ＣＣ１についてのＭＢＳＦＮエリアコンフィギュレーションメッセージが示されている。ＭＢＳＦＮエリアコンフィギュレーションメッセージは、共通サブフレーム割当て、共通サブフレーム割当て期間及びＰＭＣＨ情報リストを含む。共通サブフレーム割当ては、ＭＢＳＦＮ用のサブフレームを示す。また、共通サブフレーム割当て期間は、共通サブフレーム割当てにより示されるサブフレームをＰＭＣＨに割り当てる期間を示す。即ち、共通サブフレーム割当て及び共通サブフレーム割当て期間から、ＰＭＣＨに割り当てられるサブフレーム（例えば、２０サブフレーム）が特定される。さらに、ＰＭＣＨ情報リスト（例えば、ＰＭＣＨコンフィギュレーション）は、各ＰＭＣＨ（例えば、ＰＭＣＨ１〜３の各々）に割り当てられるサブフレームを示す。この例では、ＰＭＣＨ情報リストは、ＰＭＣＨ１には２０サブフレームのうちの１番目〜７番目のサブフレームが、ＰＭＣＨ２には８番目〜１１番目のサブフレームが、ＰＭＣＨ３には１２番目〜２０番目のサブフレームが、割り当てられることを示す。なお、ＰＭＣＨ情報リスト（例えば、ＭＢＭＳセッション情報リスト）は、各ＰＭＣＨ（ＰＭＣＨ１〜３の各々）にマッピングされるＭＢＭＳセッション（又はＭＴＣＨ）をさらに示す。
【０１３５】
以上、とりわけ上記第１のＣＣ（例えば、ＣＣ１）に着目して情報取得部１６１を説明した。当然ながら、情報取得部１６１は、別のＣＣ（例えば、ＣＣ２〜ＣＣ５の各々）を含む２つ以上のＣＣについてのＭＢＳＦＮエリアコンフィギュレーション情報を取得し得る。
【０１３６】
（通信制御部１６３）
通信制御部１６３は、上記第１のＣＣでの上記特定情報の送信を制御する。
【０１３７】
とりわけ第２の実施形態では、上述したように、上記特定情報は、上記２つ以上のＣＣについてのＭＢＳＦＮエリアコンフィギュレーション情報である。即ち、通信制御部１６３は、上記第１のＣＣでの上記ＭＢＳＦＮエリアコンフィギュレーション情報の送信を制御する。
【０１３８】
−ＭＣＣＨでの送信
例えば、通信制御部１６３は、上記第１のＣＣのＭＣＣＨでの上記ＭＢＳＦＮエリアコンフィギュレーション情報の送信を制御する。
【０１３９】
上述したように、例えば、上記ＭＢＳＦＮエリアコンフィギュレーション情報は、１つ以上のＭＢＳＦＮエリアコンフィギュレーションメッセージを含む。即ち、通信制御部１６３は、上記第１のＣＣのＭＣＣＨでの上記１つ以上のＭＢＳＦＮエリアコンフィギュレーションメッセージの送信を制御する。
【０１４０】
また、上記ＭＣＣＨで送信される情報は、上記１つ以上のＭＢＳＦＮエリアコンフィギュレーションメッセージと、当該１つ以上のＭＢＳＦＮエリアコンフィギュレーションメッセージの各々に対応するＣＣの識別情報とを含む。当該識別情報は、例えばセルＩＤである。これにより、例えば、端末装置２００−２は、ＭＣＣＨで送信される個別のＭＢＳＦＮエリアコンフィギュレーションメッセージがいずれのＣＣのものかを識別することができる。
【０１４１】
−−ＣＣごとのＭＢＳＦＮエリアコンフィギュレーションメッセージ
上述したように、例えば、上記ＭＢＳＦＮエリアコンフィギュレーション情報は、上記２つ以上のＣＣの各々についてのＭＢＳＦＮエリアコンフィギュレーションメッセージを含む。以下、このケースにおけるＭＣＣＨでの送信の具体例を、図２２を参照して説明する。
【０１４２】
図２２は、２つ以上のＣＣについてのＭＢＳＦＮエリアコンフィギュレーション情報のＭＣＣＨでの送信の第１の例を説明するための説明図である。図２２を参照すると、ＣＣ１のＭＣＣＨが示されている。この例では、基地局１００−２は、ＣＣ１〜ＣＣ５を使用し、ＭＢＳＦＮエリアコンフィギュレーション情報は、ＣＣ１〜ＣＣ５の各々についてのＭＢＳＦＮエリアコンフィギュレーションメッセージを含む。そのため、ＣＣ１〜ＣＣ５の各々についてのＭＢＳＦＮエリアコンフィギュレーションメッセージが、ＭＣＣＨで送信される。また、ＭＣＣＨでは、５つのＭＢＳＦＮエリアコンフィギュレーションメッセージの各々に対応するＣＣのセルＩＤも送信される。なお、ＣＣのセルＩＤは、当該ＣＣについてのＭＢＳＦＮエリアコンフィギュレーションメッセージに関連付けられている。即ち、ＣＣ１のセルＩＤは、ＣＣ１についてのＭＢＳＦＮエリアコンフィギュレーションメッセージに関連付けられている。また、ＣＣ３のセルＩＤは、ＣＣ３についてのＭＢＳＦＮエリアコンフィギュレーションメッセージに関連付けられている。
【０１４３】
これにより、例えば、ＣＣごとにＰＭＣＨを決定することが可能になる。より具体的には、例えば、ＰＭＣＨに割り当てるサブフレーム、及びＰＭＣＨにマッピングするＭＢＭＳセッション又はＭＴＣＨなどを、ＣＣごとに決定することができる。
【０１４４】
なお、上述したように、上記ＭＢＳＦＮエリアコンフィギュレーション情報は、基地局１００−２により使用される全てのＣＣの全てについてのＭＢＳＦＮエリアコンフィギュレーションメッセージを含まず、一部のＣＣについてのＭＢＳＦＮエリアコンフィギュレーションメッセージを含んでもよい。また、当該一部のＣＣは、上記ＭＢＳＦＮエリアコンフィギュレーション情報が送信されるＣＣによって異なってもよい。以下、このケースにおけるＭＣＣＨでの送信の具体例を、図２３を参照して説明する。
【０１４５】
図２３は、２つ以上のＣＣについてのＭＢＳＦＮエリアコンフィギュレーション情報のＭＣＣＨでの送信の第２の例を説明するための説明図である。図２３を参照すると、ＣＣ１のＭＣＣＨと、ＣＣ５のＭＣＣＨとが示されている。この例では、基地局１００−２は、ＣＣ１〜ＣＣ５を使用し、ＣＣ１のＭＣＣＨでは、ＣＣ１〜ＣＣ３の各々についてのＭＢＳＦＮエリアコンフィギュレーションメッセージが送信される。また、ＣＣ５のＭＣＣＨでは、ＣＣ３〜ＣＣ５の各々についてのＭＢＳＦＮエリアコンフィギュレーションメッセージが送信される。このように、必ずしも各ＣＣのＭＣＣＨで、基地局１００−２により使用される全てのＣＣについてのＭＢＳＦＮエリアコンフィギュレーションメッセージが送信されなくてもよい。
【０１４６】
−−ＣＣの間で共通のＭＢＳＦＮエリアコンフィギュレーションメッセージ
上述したように、例えば、上記１つ以上のＭＢＳＦＮエリアコンフィギュレーションメッセージは、上記２つ以上のＣＣに含まれる少なくとも２つのＣＣの間で共通のＭＢＳＦＮエリアコンフィギュレーションメッセージを含んでもよい。即ち、上記ＭＢＳＦＮエリアコンフィギュレーション情報は、上記少なくとも２つのＣＣの間で共通のＭＢＳＦＮエリアコンフィギュレーションメッセージを含んでもよい。以下、このケースにおけるＭＣＣＨでの送信の具体例を、図２４を参照して説明する。
【０１４７】
図２４は、２つ以上のＣＣについてのＭＢＳＦＮエリアコンフィギュレーション情報のＭＣＣＨでの送信の第３の例を説明するための説明図である。図２４を参照すると、ＣＣ１のＭＣＣＨが示されている。この例では、基地局１００−２は、ＣＣ１〜ＣＣ５を使用し、ＣＣ１〜ＣＣ５の間でＭＢＳＦＮエリアコンフィギュレーションメッセージは同一である。そのため、ＣＣ１〜ＣＣ５の間で共通のＭＢＳＦＮエリアコンフィギュレーションメッセージが、ＭＣＣＨで送信される。なお、ＣＣ１〜ＣＣ５のセルＩＤは、ＣＣ１〜ＣＣ５の間で共通の上記ＭＢＳＦＮエリアコンフィギュレーションメッセージに関連付けられている。
【０１４８】
図２５は、２つ以上のＣＣについてのＭＢＳＦＮエリアコンフィギュレーション情報のＭＣＣＨでの送信の第４の例を説明するための説明図である。図２５を参照すると、ＣＣ１のＭＣＣＨが示されている。この例では、基地局１００−２は、ＣＣ１〜ＣＣ５を使用し、ＣＣ１とＣＣ２との間でＭＢＳＦＮエリアコンフィギュレーションメッセージは同一である。そのため、ＣＣ１とＣＣ２との間で共通のＭＢＳＦＮエリアコンフィギュレーションメッセージが、ＭＣＣＨで送信される。なお、ＣＣ１及びＣＣ２のセルＩＤは、ＣＣ１とＣＣ２との間で共通の上記ＭＢＳＦＮエリアコンフィギュレーションメッセージに関連付けられている。
【０１４９】
このようにＣＣの間で共通のＭＢＳＦＮエリアコンフィギュレーションメッセージがＭＣＣＨで送信されてもよい。これにより、例えば、送信される情報が減少する。その結果、例えば、消費される無線リソース（例えば、ＭＣＣＨで使用される無線リソース）が減少し得る。また、例えば、基地局１００−２の消費電力が低減され得る。
【０１５０】
−送信の制御の具体的な内容
一例として、通信制御部１６３は、上記送信の制御として、上記第１のＣＣのＭＣＣＨの無線リソースに、上記ＭＢＳＦＮエリアコンフィギュレーション情報（及びＣＣの識別情報）の信号をマッピングする。これにより、上記ＭＢＳＦＮエリアコンフィギュレーション情報（及びＣＣの識別情報）が、ＭＣＣＨ上で送信される。
【０１５１】
別の例として、通信制御部１６３は、上記送信の制御として、上記第１のＣＣのＭＣＣＨでの上記ＭＢＳＦＮエリアコンフィギュレーション情報（及びＣＣの識別情報）の送信をトリガしてもよい。具体的には、通信制御部１６３は、上記送信の制御として、上記第１のＣＣのＭＣＣＨでの上記ＭＢＳＦＮエリアコンフィギュレーション情報（及びＣＣの識別情報）の送信を基地局１００−２の別の構成要素（例えば、処理部１６０に含まれる別の要素）に指示してもよい。これにより、上記第１のＣＣのＭＣＣＨで上記ＭＢＳＦＮエリアコンフィギュレーション情報（及びＣＣの識別情報）が送信されてもよい。
【０１５２】
以上のように、第１のＣＣを含む２つ以上のＣＣについてのＭＢＳＦＮエリアコンフィギュレーション情報が、当該第１のＣＣで送信される。これにより、例えば、キャリアアグリゲーションをサポートする端末装置２００−２にとってのＭＢＭＳに関する負担を軽減することが可能になる。より具体的には、例えば、端末装置２００−２は、２つ以上のＣＣを使用する場合であっても、当該２つ以上のＣＣの各々でＭＢＳＦＮエリアコンフィギュレーションメッセージを受信し、取得しなくてもよく、例えば１つのＣＣで、上記２つ以上のＣＣについてのＭＢＳＦＮエリアコンフィギュレーション情報を受信し、取得し得る。そのため、ＰＭＣＨ（即ち、ＰＭＣＨに割り当てられるサブフレーム）を特定するのに端末装置２００−２にかかる負担が軽減され得る。
【０１５３】
さらに、端末装置２００−２は、上記２つ以上のＣＣの各々でＭＣＣＨスケジューリング情報を受信し、取得しなくてもよく、例えば１つのＣＣでＭＣＣＨスケジューリング情報を受信し、取得すればよい。そのため、端末装置２００−２にかかる負担がさらに軽減され得る。
【０１５４】
一例として、ＣＣの通信品質の変化に応じてＭＢＭＳセッションを受信するためのＣＣが頻繁に変わる場合であっても、端末装置２００−２はＣＣが変わるたびにＭＣＣＨスケジューリング情報及びＭＢＳＦＮエリアコンフィギュレーション情報を取得する必要はない。別の例として、図５に示されるように各ＣＣで同一のＭＢＭＳセッションが送信され、端末装置２００−２が、通信品質が良好なＣＣでＭＢＭＳセッションを受信する場合でも、端末装置２００−２は各ＣＣでＭＣＣＨスケジューリング情報及びＭＢＳＦＮエリアコンフィギュレーション情報を取得する必要はない。さらに別の例として、図６に示されるように各ＣＣで同一のＭＢＭＳセッションの別々のパートが送信され、端末装置２００−２が各ＣＣで別々のパートを受信する場合でも、端末装置２００−２は各ＣＣでＭＣＣＨスケジューリング情報及びＭＢＳＦＮエリアコンフィギュレーション情報を取得する必要はない。このように、端末装置２００−２にかかる負担が軽減され得る。
【０１５５】
以上、とりわけ上記第１のＣＣ（例えば、ＣＣ１）に着目して通信制御部１６３を説明した。当然ながら、通信制御部１６３は、別のＣＣ（例えば、ＣＣ２〜ＣＣ５の各々）のＭＣＣＨでの、当該別のＣＣを含む２つ以上のＣＣについてのＭＢＳＦＮエリアコンフィギュレーション情報の送信を、制御し得る。
【０１５６】
＜４．２．端末装置の構成＞
次に、図２６を参照して、第２の実施形態に係る端末装置２００−２の構成の一例を説明する。図２６は、第２の実施形態に係る端末装置２００−２の構成の一例を示すブロック図である。図２６を参照すると、端末装置２００−２は、アンテナ部２１０、無線通信部２２０、記憶部２３０、入力部２４０、表示部２５０及び処理部２７０を備える。
【０１５７】
ここで、アンテナ部２１０、無線通信部２２０、記憶部２３０、入力部２４０及び表示部２５０は、第１の実施形態と第２の実施形態との間に特段の差異はない。よって、ここでは、処理部２７０のみを説明する。
【０１５８】
（処理部２７０）
処理部２７０は、端末装置２００−２の様々な機能を提供する。処理部２７０は、情報取得部２７１、通信制御部２７３及び表示制御部２７５を含む。
【０１５９】
（情報取得部２７１）
情報取得部２７１は、第１のＣＣを含む２つ以上のＣＣのＰＭＣＨを特定するために用いられる特定情報であって、基地局１００−２により上記第１のＣＣで送信される上記特定情報を取得する。
【０１６０】
とりわけ第２の実施形態では、上記特定情報は、上記２つ以上のＣＣについてのＭＢＳＦＮエリアコンフィギュレーション情報である。即ち、情報取得部２７１は、上記２つ以上のＣＣについてのＭＢＳＦＮエリアコンフィギュレーション情報を取得する。
【０１６１】
上述したように、例えば、上記ＭＢＳＦＮエリアコンフィギュレーション情報は、上記第１のＣＣのＭＣＣＨで送信され、情報取得部２７１は、上記第１のＣＣのＭＣＣＨで送信される当該ＭＢＳＦＮエリアコンフィギュレーション情報を取得する。
【０１６２】
なお、上記ＭＢＳＦＮエリアコンフィギュレーション情報の内容は、基地局１００−２に関連して説明したとおりである。
【０１６３】
以上、とりわけ上記第１のＣＣに着目して情報取得部２７１を説明した。当然ながら、別のＣＣを含む２つ以上のＣＣについてのＭＢＳＦＮエリアコンフィギュレーション情報が、当該別のＣＣのＭＣＣＨで送信され得る。そして、情報取得部２７１は、上記別のＣＣのＭＣＣＨで送信される上記ＭＢＳＦＮエリアコンフィギュレーション情報を取得し得る。
【０１６４】
（通信制御部２７３）
通信制御部２７３は、上記特定情報に基づいて、上記２つ以上のＣＣに含まれるＣＣのＰＭＣＨを特定する。
【０１６５】
とりわけ第２の実施形態では、上記特定情報は、上記２つ以上のＣＣについてのＭＢＳＦＮエリアコンフィギュレーション情報である。即ち、通信制御部２７３は、上記２つ以上のＣＣについてのＭＢＳＦＮエリアコンフィギュレーション情報に基づいて、当該２つ以上のＣＣに含まれるＣＣのＰＭＣＨを特定する。
【０１６６】
より具体的には、例えば、通信制御部２７３は、上記２つ以上のＣＣについてのＭＢＳＦＮエリアコンフィギュレーション情報に基づいて、所望のＭＢＭＳセッションがマッピングされているＰＭＣＨを特定する。即ち、通信制御部２７３は、所望のＭＢＭＳセッションがマッピングされているＰＭＣＨに割り当てられるサブフレームを特定する。そして、通信制御部２７３は、特定される上記ＰＭＣＨで送信される上記所望のＭＢＭＳセッションを取得する。即ち、通信制御部２７３は、特定される上記ＰＭＣＨで送信されるＭＳＩから、上記所望のＭＢＭＳセッションがマッピングされている無線リソース（サブフレーム）を特定し、特定される当該無線リソースで送信される上記所望のＭＢＭＳセッションを取得する。
【０１６７】
以上、とりわけ上記第１のＣＣで送信される、上記２つ以上のＣＣについてのＭＢＳＦＮエリアコンフィギュレーション情報に着目して、通信制御部２７３を説明した。当然ながら、通信制御部２７３は、別のＣＣで送信される、当該別のＣＣを含む２つ以上のＣＣについてのＭＢＳＦＮエリアコンフィギュレーション情報に基づいて、当該２つ以上のＣＣに含まれるＣＣのＰＭＣＨを特定し得る。
【０１６８】
（表示制御部２７５）
表示制御部２７５は、表示部２５０による画面の表示を制御する。例えば、表示制御部２７５は、表示部２５０により表示される画面を生成し、当該画面を表示部２５０に表示させる。
【０１６９】
＜４．３．処理の流れ＞
次に、図２７及び図２８を参照して、第２の実施形態に係る通信制御処理の例を説明する。
【０１７０】
（基地局における通信制御処理）
図２７は、第２の実施形態に係る基地局１００−２の通信制御処理の概略的な流れの一例を示すフローチャートである。
【０１７１】
情報取得部１６１は、２つ以上のＣＣについてのＭＢＳＦＮエリアコンフィギュレーション情報を取得する（Ｓ４０１）。当該２つ以上のＣＣは、第１のＣＣを含む。
【０１７２】
通信制御部１６３は、上記第１のＣＣのＭＣＣＨでの上記ＭＢＳＦＮエリアコンフィギュレーション情報の送信を制御する（Ｓ４０３）。その結果、上記第１のＣＣのＭＣＣＨで上記ＭＢＳＦＮエリアコンフィギュレーション情報が送信される。そして、処理は終了する。
【０１７３】
（端末装置における通信制御処理）
図２８は、第２の実施形態に係る端末装置２００−２の通信制御処理の概略的な流れの一例を示すフローチャートである。
【０１７４】
情報取得部２７１は、第１のＣＣについてのＭＣＣＨスケジューリング情報を取得する（Ｓ４１１）。より具体的には、上記ＭＣＣＨスケジューリング情報を含む所定のＳＩＢ（例えば、ＳＩＢ１３）が、当該第１のＣＣで送信され、情報取得部２７１は、当該所定のＳＩＢに含まれる上記ＭＣＣＨスケジューリング情報を取得する。
【０１７５】
次に、情報取得部２７１は、上記ＭＣＣＨスケジューリング情報に基づいて、上記第１のＣＣのＭＣＣＨを特定する（Ｓ４１３）。そして、情報取得部２７１は、上記第１のＣＣの上記ＭＣＣＨで送信される、上記第１のＣＣを含む２つ以上のＣＣについてのＭＢＳＦＮエリアコンフィギュレーション情報を取得する（Ｓ４１５）。
【０１７６】
さらに、通信制御部２７３は、上記ＭＢＳＦＮエリアコンフィギュレーション情報に基づいて、所望のＭＢＭＳセッションがマッピングされているＰＭＣＨを特定する（Ｓ４１７）。即ち、通信制御部２７３は、所望のＭＢＭＳセッションがマッピングされているＰＭＣＨに割り当てられるサブフレームを特定する。
【０１７７】
その後、通信制御部２７３は、特定された上記ＰＭＣＨで送信される上記所望のＭＢＭＳセッションを取得する（Ｓ４１９）。即ち、通信制御部２７３は、特定される上記ＰＭＣＨで送信されるＭＳＩから、上記所望のＭＢＭＳセッションがマッピングされている無線リソース（サブフレーム）を特定し、特定される当該無線リソースで送信される上記所望のＭＢＭＳセッションを取得する。そして、処理は終了する。
【０１７８】
＜４．４．第１の変形例＞
次に、図２９〜図３３を参照して第２の実施形態の第１の変形例を説明する。
【０１７９】
上述したように、第２の実施形態では、第１のＣＣを含む２つ以上のＣＣについてのＭＢＳＦＮエリアコンフィギュレーション情報が、当該第１のＣＣで送信される。また、上述したように、例えば、当該ＭＢＳＦＮエリアコンフィギュレーション情報は、１つ以上のＭＢＳＦＮエリアコンフィギュレーションメッセージを含む。
【０１８０】
一方、第２の実施形態の第１の変形例によれば、上記ＭＢＳＦＮエリアコンフィギュレーション情報は、１つ以上のＰＭＣＨ割当て情報（PMCH  Allocation  Information）を含む１つのＭＢＳＦＮエリアコンフィギュレーションメッセージを含む。
【０１８１】
（基地局１００−２：情報取得部１６１）
−ＭＢＳＦＮエリアコンフィギュレーションメッセージ
第１の変形例では、上記ＭＢＳＦＮエリアコンフィギュレーション情報は、１つ以上のＰＭＣＨ割当て情報を含む１つのＭＢＳＦＮエリアコンフィギュレーションメッセージを含む。また、上記１つ以上のＰＭＣＨ割当て情報の各々は、上記２つ以上のＣＣのうちの少なくとも１つのＣＣについてのＰＭＣＨ割当て情報である。なお、ＰＭＣＨ割当て情報は、例えば、ＰＭＣＨが位置するサブフレームを少なくとも示す情報である。
【０１８２】
また、例えば、上記１つのＭＢＳＦＮエリアコンフィギュレーションメッセージは、上記１つ以上のＰＭＣＨ割当て情報と、当該１つ以上のＰＭＣＨ割当て情報に対応するＣＣの識別情報とを含む。当該識別情報は、例えばセルＩＤである。これにより、例えば、端末装置２００−２は、上記１つのＭＢＳＦＮエリアコンフィギュレーションメッセージ内の個別のＰＭＣＨ割当て情報がいずれのＣＣのものかを識別することができる。
【０１８３】
−−ＣＣごとのＭＢＳＦＮエリアコンフィギュレーションメッセージ
例えば、上記１つのＭＢＳＦＮエリアコンフィギュレーションメッセージは、上記２つ以上のＣＣの各々についてのＰＭＣＨ割当て情報を含む。以下、この点について、図２９を参照して具体例を説明する。
【０１８４】
図２９は、１つ以上のＰＭＣＨ割当て情報を含むＭＢＳＦＮエリアコンフィギュレーションメッセージの第１の例を説明するための説明図である。図２９を参照すると、ＣＣ１についてのＭＢＳＦＮエリアコンフィギュレーションメッセージが示されている。この例では、基地局１００−２は、ＣＣ１〜ＣＣ５を使用し、上記ＭＢＳＦＮエリアコンフィギュレーションメッセージは、ＣＣ１〜ＣＣ５の各々についてのＰＭＣＨ割当て情報を含む。また、上記ＭＢＳＦＮエリアコンフィギュレーションメッセージは、５つのＰＭＣＨ割当て情報の各々に対応するＣＣのセルＩＤを含む。なお、ＣＣのセルＩＤは、当該ＣＣについてのＰＭＣＨ割当て情報に関連付けられている。即ち、ＣＣ１のセルＩＤは、ＣＣ１についてのＰＭＣＨ割当て情報に関連付けられている。また、ＣＣ３のセルＩＤは、ＣＣ３についてのＰＭＣＨ割当て情報に関連付けられている。
【０１８５】
これにより、例えば、ＣＣごとＰＭＣＨを決定することが可能になる。
【０１８６】
なお、上記１つのＭＢＳＦＮエリアコンフィギュレーションメッセージは、基地局１００−２により使用される全てのＣＣ（例えば、ＣＣ１〜ＣＣ５）についてのＰＭＣＨ割当て情報を含まず、一部のＣＣについてのＰＭＣＨ割当て情報を含んでもよい。即ち、上記２つ以上のＣＣは、全てのＣＣ（例えば、ＣＣ１〜ＣＣ５）ではなく、一部のＣＣであってもよい。また、当該一部のＣＣは、上記１つのＭＢＳＦＮエリアコンフィギュレーションメッセージが送信されるＣＣによって異なってもよい。以下、この点について図３０を参照して具体例を説明する。
【０１８７】
図３０は、１つ以上のＰＭＣＨ割当て情報を含むＭＢＳＦＮエリアコンフィギュレーションメッセージの第２の例を説明するための説明図である。図３０を参照すると、ＣＣ１についてのＭＢＳＦＮエリアコンフィギュレーションメッセージと、ＣＣ５についてのＭＢＳＦＮエリアコンフィギュレーションメッセージとが示されている。この例では、基地局１００−２は、ＣＣ１〜ＣＣ５を使用し、ＣＣ１についてのＭＢＳＦＮエリアコンフィギュレーションメッセージは、ＣＣ１〜ＣＣ３の各々についてのＰＭＣＨ割当て情報を含む。また、ＣＣ５についてのＭＢＳＦＮエリアコンフィギュレーションメッセージは、ＣＣ３〜ＣＣ５の各々についてのＰＭＣＨ割当て情報を含む。このように、必ずしも各ＣＣについてのＭＢＳＦＮエリアコンフィギュレーションメッセージに、基地局１００−２により使用される全てのＣＣについてのＰＭＣＨ割当て情報が含まれなくてもよい。
【０１８８】
−−ＣＣの間で共通のＰＭＣＨ割当て情報
上記１つ以上のＰＭＣＨ割当て情報は、上記２つ以上のＣＣに含まれる少なくとも２つのＣＣの間で共通のＰＭＣＨ割当て情報を含んでもよい。即ち、情報取得部１６１は、上記少なくとも２つのＣＣの間で共通のＰＭＣＨ割当て情報を含むＭＢＳＦＮエリアコンフィギュレーションメッセージを取得してもよい。以下、この点について、図３１及び図３２を参照して具体例を説明する。
【０１８９】
図３１は、１つ以上のＰＭＣＨ割当て情報を含むＭＢＳＦＮエリアコンフィギュレーションメッセージの第３の例を説明するための説明図である。図３１を参照すると、ＣＣ１についてのＭＢＳＦＮエリアコンフィギュレーションメッセージが示されている。この例では、基地局１００−２は、ＣＣ１〜ＣＣ５を使用し、ＣＣ１〜ＣＣ５の間でＰＭＣＨの割当ては同一である。そのため、ＭＢＳＦＮエリアコンフィギュレーションメッセージは、ＣＣ１〜ＣＣ５の間で共通のＰＭＣＨ割当て情報を含む。また、当該ＭＢＳＦＮエリアコンフィギュレーションメッセージは、上記ＰＭＣＨ割当て情報に対応するＣＣ１〜ＣＣ５のセルＩＤを含む。なお、ＣＣ１〜ＣＣ５のセルＩＤは、ＣＣ１〜ＣＣ５の間で共通の上記ＰＭＣＨ割当て情報に関連付けられている。
【０１９０】
図３２は、１つ以上のＰＭＣＨ割当て情報を含むＭＢＳＦＮエリアコンフィギュレーションメッセージの第４の例を説明するための説明図である。図３２を参照すると、ＣＣ１についてのＭＢＳＦＮエリアコンフィギュレーションメッセージが示されている。この例では、基地局１００−２は、ＣＣ１〜ＣＣ５を使用し、ＣＣ１とＣＣ２との間でＰＭＣＨの割当ては同一である。そのため、上記ＭＢＳＦＮエリアコンフィギュレーションメッセージは、ＣＣ１とＣＣ２との間で共通のＰＭＣＨ割当て情報を含む。また、上記ＭＢＳＦＮエリアコンフィギュレーションメッセージは、上記ＰＭＣＨ割当て情報に対応するＣＣ１及びＣＣ２のセルＩＤを含む。なお、ＣＣ１及びＣＣ２のセルＩＤは、ＣＣ１とＣＣ２との間で共通の上記ＰＭＣＨ割当て情報に関連付けられている。
【０１９１】
このようにＣＣの間で共通のＰＭＣＨ情報が用いられてもよい。これにより、例えば、送信される情報が減少する。その結果、例えば、消費される無線リソース（例えば、ＭＢＳＦＮエリアコンフィギュレーションメッセージに使用される無線リソース）が減少し得る。また、例えば、基地局１００−２の消費電力が低減され得る。
【０１９２】
−ＰＭＣＨ割当て情報に含まれる具体的な情報
例えば、上記１つ以上のＰＭＣＨ割当て情報の各々は、少なくともＰＭＣＨ情報リストを含む。また、例えば、上記１つ以上のＰＭＣＨ割当て情報の各々は、共通サブフレーム割当て及び共通サブフレーム割当て期間をさらに含む。これにより、例えば、所望のＭＢＭＳセッション及び／又はＭＴＣＨがマッピングされるＰＭＣＨが特定される。即ち、当該ＰＭＣＨが位置するサブフレームが特定される。
【０１９３】
（基地局１００−２：通信制御部１６３）
−ＭＣＣＨでの送信
上述したように、例えば、通信制御部１６３は、上記第１のＣＣのＭＣＣＨでの上記ＭＢＳＦＮエリアコンフィギュレーション情報の送信を制御する。
【０１９４】
とりわけ第１の変形例では、上記ＭＢＳＦＮエリアコンフィギュレーション情報は、１つ以上のＰＭＣＨ割当て情報を含む１つのＭＢＳＦＮエリアコンフィギュレーションメッセージを含む。即ち、通信制御部１６３は、上記第１のＣＣのＭＣＣＨでの上記１つのＭＢＳＦＮエリアコンフィギュレーションメッセージの送信を制御する。以下、この点について図３３を参照して具体例を説明する。
【０１９５】
図３３は、１つ以上のＰＭＣＨ割当て情報を含むＭＢＳＦＮエリアコンフィギュレーションメッセージのＭＣＣＨでの送信の一例を説明するための説明図である。図３３を参照すると、ＣＣ１のＭＣＣＨが示されている。ＣＣ１のＭＣＣＨでは、ＣＣ１についてのＭＢＳＦＮエリアコンフィギュレーションメッセージが送信される。この例では、基地局１００−２は、ＣＣ１〜ＣＣ５を使用し、上記ＭＢＳＦＮエリアコンフィギュレーションメッセージは、ＣＣ１〜ＣＣ５の各々についてのＰＭＣＨ割当て情報を含む。
【０１９６】
以上のように、第１のＣＣを含む２つ以上のＣＣについてのＭＢＳＦＮエリアコンフィギュレーション情報が、当該第１のＣＣで送信される。これにより、例えば、キャリアアグリゲーションをサポートする端末装置２００−２にとってのＭＢＭＳに関する負担を軽減することが可能になる。この点は、第２の実施形態の例において説明したとおりである。
【０１９７】
＜４．５．第２の変形例＞
次に、図３４〜図３７を参照して第２の実施形態の第２の変形例を説明する。
【０１９８】
一般的に、ＰＭＣＨは、各ＣＣ内に存在する。即ち、ＰＭＣＨは、１つのＣＣ内の無線リソースに位置する。一方、第２の変形例では、少なくとも２つのＣＣにわたるＰＭＣＨが新たに定義される。そして、上記ＭＢＳＦＮエリアコンフィギュレーション情報は、上記２つ以上のＣＣに含まれる少なくとも２つのＣＣにわたるＰＭＣＨを示す情報を含む。
【０１９９】
（ＭＢＳＦＮエリアコンフィギュレーション情報）
第２の変形例では、上記第１のＣＣを含む上記２つ以上のＣＣに含まれる少なくとも２つのＣＣにわたるＰＭＣＨ（以下、「マルチプルＣＣ  ＰＭＣＨ」と呼ぶ）が、ＭＢＳＦＮエリアで使用されるＰＭＣＨとして決定される。この場合に、上記２つ以上のＣＣについての上記ＭＢＳＦＮエリアコンフィギュレーション情報は、マルチプルＣＣ  ＰＭＣＨを示す情報を含む。以下、この点について図３４及び図３５を参照して具体例を説明する。
【０２００】
図３４は、マルチプルＣＣ  ＰＭＣＨを示す情報を含むＭＢＳＦＮエリアコンフィギュレーション情報の第１の例を説明するための説明図である。図３４を参照すると、ＭＢＳＦＮエリアコンフィギュレーション情報として、３つのＭＢＳＦＮエリアコンフィギュレーションメッセージが示されている。この例では、当該３つのＭＢＳＦＮエリアコンフィギュレーションメッセージのうちの１つが、ＣＣ１についての通常のＭＢＳＦＮエリアコンフィギュレーションメッセージ（即ち、ＣＣ１のＰＭＣＨを示すもの）である。また、当該３つのＭＢＳＦＮエリアコンフィギュレーションメッセージのうちの２つが、ＣＣ１及びＣＣ２についてのマルチプルＣＣ  ＭＢＳＦＮエリアコンフィギュレーションメッセージである。この２つのマルチプルＣＣ  ＭＢＳＦＮエリアコンフィギュレーションメッセージは、ＣＣ１及びＣＣ２にわたるマルチプルＣＣ  ＰＭＣＨを示す。例えば、ＣＣ１についてのマルチプルＣＣ  ＭＢＳＦＮエリアコンフィギュレーションメッセージは、マルチプルＣＣ  ＰＭＣＨに割り当てられるＣＣ１の無線リソース（サブフレーム）、及びマルチプルＣＣ  ＰＭＣＨが位置する他のＣＣの識別情報（例えば、ＣＣ２のセルＩＤ）を含む。また、ＣＣ２についてのマルチプルＣＣ  ＭＢＳＦＮエリアコンフィギュレーションメッセージは、マルチプルＣＣ  ＰＭＣＨに割り当てられるＣＣ２の無線リソース（サブフレーム）、及びマルチプルＣＣ  ＰＭＣＨが位置する他のＣＣの識別情報（例えば、ＣＣ１のセルＩＤ）を含む。また、ＣＣ１及びＣＣ２にわたる複数のマルチプルＣＣ  ＰＭＣＨが、ＭＢＳＦＮエリアで使用されるＰＭＣＨとして決定される場合には、ＣＣ１及びＣＣ２の各々についてのマルチプルＣＣ  ＭＢＳＦＮエリアコンフィギュレーションメッセージは、マルチプルＣＣ  ＰＭＣＨを識別するための識別情報をさらに含んでもよい。これにより、ＣＣ間の無線リソースが関連付けられるので、端末装置２００−２は、マルチプルＣＣ  ＰＭＣＨを特定することが可能になる。
【０２０１】
図３５は、マルチプルＣＣ  ＰＭＣＨを示す情報を含むＭＢＳＦＮエリアコンフィギュレーション情報の第２の例を説明するための説明図である。マルチプルＣＣ  ＰＭＣＨを示す情報を含むＭＢＳＦＮエリアコンフィギュレーション情報の第２の例を説明するための説明図である。図３５を参照すると、ＭＢＳＦＮエリアコンフィギュレーション情報として、１つのＭＢＳＦＮエリアコンフィギュレーションメッセージが示されている。当該１つのＭＢＳＦＮエリアコンフィギュレーションメッセージは、３つのＰＭＣＨ割当て情報を含む。この例では、当該３つのＰＭＣＨ割当て情報のうちの１つが、ＣＣ１についての通常のＰＭＣＨ割当て情報（即ち、ＣＣ１のＰＭＣＨを示すもの）である。また、当該３つのＰＭＣＨ割当て情報のうちの２つが、ＣＣ１及びＣＣ２についてのマルチプルＣＣ  ＰＭＣＨ割当て情報である。この２つのマルチプルＣＣ  ＰＭＣＨ割当て情報は、ＣＣ１及びＣＣ２にわたるマルチプルＣＣ  ＰＭＣＨを示す。例えば、ＣＣ１についてのマルチプルＣＣ  ＰＭＣＨ割当て情報は、マルチプルＣＣ  ＰＭＣＨに割り当てられるＣＣ１の無線リソース（サブフレーム）、及びマルチプルＣＣ  ＰＭＣＨが位置する他のＣＣの識別情報（例えば、ＣＣ２のセルＩＤ）を含む。例えば、ＣＣ２についてのマルチプルＣＣ  ＰＭＣＨ割当て情報は、マルチプルＣＣ  ＰＭＣＨに割り当てられるＣＣ２の無線リソース（サブフレーム）、及びマルチプルＣＣ  ＰＭＣＨが位置する他のＣＣの識別情報（例えば、ＣＣ１のセルＩＤ）を含む。また、ＣＣ１及びＣＣ２にわたる複数のマルチプルＣＣ  ＰＭＣＨが設定される場合には、ＣＣ１及びＣＣ２の各々についてのマルチプルＣＣ  ＰＭＣＨ割当て情報は、マルチプルＣＣ  ＰＭＣＨを識別するための識別情報をさらに含んでもよい。これにより、ＣＣ間の無線リソースが関連付けられるので、端末装置２００−２は、マルチプルＣＣ  ＰＭＣＨを特定することが可能になる。
【０２０２】
例えば、基地局１００−２は、ＭＣＣＨで上述したようなＭＢＳＦＮエリアコンフィギュレーション情報を送信し、端末装置２００−２は、当該ＭＢＳＦＮエリアコンフィギュレーション情報に基づいて、マルチプルＣＣ  ＰＭＣＨを特定する。なお、図３４及び図３５に示される例に限られず、マルチプルＣＣ  ＰＭＣＨを示す情報を含む様々なＭＢＳＦＮエリアコンフィギュレーション情報が適用され得る。以下、図３６及び図３７を参照して、マルチプルＣＣ  ＰＭＣＨの具体例を説明する。
【０２０３】
図３６は、マルチプルＣＣ  ＰＭＣＨの第１の例を説明するための説明図である。図３６を参照すると、ＣＣ１及びＣＣ２の各々について、ＰＭＣＨ用のサブフレームが示されている。この例では、ＰＭＣＨ用の上記サブフレームの全てが、１つのマルチプルＣＣ  ＰＭＣＨに割り当てられる。当該マルチプルＣＣ  ＰＭＣＨの先頭部分（例えば、先頭の１つ以上のサブフレーム）では、当該マルチプルＣＣ  ＰＭＣＨについてのＭＳＩが送信される。
【０２０４】
図３７は、マルチプルＣＣ  ＰＭＣＨの第２の例を説明するための説明図である。図３６を参照すると、ＣＣ１及びＣＣ２の各々について、ＰＭＣＨ用のサブフレームが示されている。この例では、ＰＭＣＨ用の上記サブフレームの全てではなく、ＰＭＣＨ用の上記サブフレームのうちの一部のサブフレームが、１つのマルチプルＣＣ  ＰＭＣＨに割り当てられる。当該マルチプルＣＣ  ＰＭＣＨの先頭部分（例えば、先頭の１つ以上のサブフレーム）では、当該マルチプルＣＣ  ＰＭＣＨについてのＭＳＩが送信される。なお、残りのサブフレームは、別のマルチプルＣＣ  ＰＭＣＨに割り当てられてもよく、又はＣＣごとのＰＭＣＨに割り当てられてもよい。
【０２０５】
以上、第２の実施形態の第２の変形例を説明した。第２の実施形態の第２の変形例によれば、多くの無線リソースを使用して、１つのＭＢＭＳセッション（又は１つのＭＴＣＨ）を送信することが可能になる。そのため、例えば、第２の変形例によれば、大容量データ（例えば、高画質な動画像）を放送することが可能になる。
【０２０６】
＜＜５．応用例＞＞
本開示に係る技術は、様々な製品へ応用可能である。例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。
【０２０７】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００は、これら端末に搭載される無線通信モジュール（例えば、１つのダイで構成される集積回路モジュール）であってもよい。
【０２０８】
＜５．１．基地局に関する応用例＞
（第１の応用例）
図３８は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２０９】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図３８に示したように複数のアンテナ８１０を有し、複数のアンテナ８１０は、例えばｅＮＢ８００が使用する複数の周波数帯域にそれぞれ対応してもよい。なお、図３８にはｅＮＢ８００が複数のアンテナ８１０を有する例を示したが、ｅＮＢ８００は単一のアンテナ８１０を有してもよい。
【０２１０】
基地局装置８２０は、コントローラ８２１、メモリ８２２、ネットワークインタフェース８２３及び無線通信インタフェース８２５を備える。
【０２１１】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２１２】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２１３】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２１４】
無線通信インタフェース８２５は、図３８に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図３８に示したように複数のＲＦ回路８２７を含み、複数のＲＦ回路８２７は、例えば複数のアンテナ素子にそれぞれ対応してもよい。なお、図３８には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２１５】
（第２の応用例）
図３９は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２１６】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図３９に示したように複数のアンテナ８４０を有し、複数のアンテナ８４０は、例えばｅＮＢ８３０が使用する複数の周波数帯域にそれぞれ対応してもよい。なお、図３９にはｅＮＢ８３０が複数のアンテナ８４０を有する例を示したが、ｅＮＢ８３０は単一のアンテナ８４０を有してもよい。
【０２１７】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図３８を参照して説明したコントローラ８２１、メモリ８２２及びネットワークインタフェース８２３と同様のものである。
【０２１８】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図３８を参照して説明したＢＢプロセッサ８２６と同様のものである。無線通信インタフェース８５５は、図３９に示したように複数のＢＢプロセッサ８５６を含み、複数のＢＢプロセッサ８５６は、例えばｅＮＢ８３０が使用する複数の周波数帯域にそれぞれ対応してもよい。なお、図３９には無線通信インタフェース８５５が複数のＢＢプロセッサ８５６を含む例を示したが、無線通信インタフェース８５５は単一のＢＢプロセッサ８５６を含んでもよい。
【０２１９】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２２０】
また、ＲＲＨ８６０は、接続インタフェース８６１及び無線通信インタフェース８６３を備える。
【０２２１】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２２２】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図３９に示したように複数のＲＦ回路８６４を含み、複数のＲＦ回路８６４は、例えば複数のアンテナ素子にそれぞれ対応してもよい。なお、図３９には無線通信インタフェース８６３が複数のＲＦ回路８６４を含む例を示したが、無線通信インタフェース８６３は単一のＲＦ回路８６４を含んでもよい。
【０２２３】
図３８及び図３９に示したｅＮＢ８００及びｅＮＢ８３０において、図８を参照して説明した情報取得部１５１及び通信制御部１５３は、無線通信インタフェース８２５並びに無線通信インタフェース８５５及び／又は無線通信インタフェース８６３において実装されてもよい。一例として、情報取得部１５１及び通信制御部１５３は、１つのＢＢプロセッサ８２６又は２つ以上のＢＢプロセッサ８２６、及び１つのＢＢプロセッサ８５６又は２つ以上のＢＢプロセッサ８５６において実装されてもよい。また、これら機能の少なくとも一部は、コントローラ８２１及びコントローラ８５１において実装されてもよい。この点については、図１９を参照して説明した情報取得部１６１及び通信制御部１６３も、情報取得部１５１及び通信制御部１５３と同様である。
【０２２４】
＜５．２．端末装置に関する応用例＞
（第１の応用例）
図４０は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２２５】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２２６】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２２７】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図４０に示したように複数のＢＢプロセッサ９１３及び複数のＲＦ回路９１４を含んでもよい。なお、図４０には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２２８】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２２９】
アンテナスイッチ９１５の各々は、無線通信インタフェース９１２に含まれる複数の回路（例えば、異なる無線通信方式のための回路）の間でアンテナ９１６の接続先を切り替える。
【０２３０】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図４０に示したように複数のアンテナ９１６を有してもよい。なお、図４０にはスマートフォン９００が複数のアンテナ９１６を有する例を示したが、スマートフォン９００は単一のアンテナ９１６を有してもよい。
【０２３１】
さらに、スマートフォン９００は、無線通信方式ごとにアンテナ９１６を備えてもよい。その場合に、アンテナスイッチ９１５は、スマートフォン９００の構成から省略されてもよい。
【０２３２】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図４０に示したスマートフォン９００の各ブロックへ電力を供給する。補助コントローラ９１９は、例えば、スリープモードにおいて、スマートフォン９００の必要最低限の機能を動作させる。
【０２３３】
図４０に示したスマートフォン９００において、図１５を参照して説明した情報取得部２６１及び通信制御部２６３は、無線通信インタフェース９１２において実装されてもよい。一例として、情報取得部２６１及び通信制御部２６３は、１つのＢＢプロセッサ９１３又は２つ以上のＢＢプロセッサ９１３において実装されてもよい。また、これら機能の少なくとも一部は、プロセッサ９０１又は補助コントローラ９１９において実装されてもよい。この点については、図２６を参照して説明した情報取得部２７１及び通信制御部２７３も、情報取得部２６１及び通信制御部２６３と同様である。
【０２３４】
（第２の応用例）
図４１は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２３５】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２３６】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２３７】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２３８】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図４１に示したように複数のＢＢプロセッサ９３４及び複数のＲＦ回路９３５を含んでもよい。なお、図４１には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２３９】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２４０】
アンテナスイッチ９３６の各々は、無線通信インタフェース９３３に含まれる複数の回路（例えば、異なる無線通信方式のための回路）の間でアンテナ９３７の接続先を切り替える。
【０２４１】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図４１に示したように複数のアンテナ９３７を有してもよい。なお、図４１にはカーナビゲーション装置９２０が複数のアンテナ９３７を有する例を示したが、カーナビゲーション装置９２０は単一のアンテナ９３７を有してもよい。
【０２４２】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２４３】
バッテリー９３８は、図中に破線で部分的に示した給電ラインを介して、図４１に示したカーナビゲーション装置９２０の各ブロックへ電力を供給する。また、バッテリー９３８は、車両側から給電される電力を蓄積する。
【０２４４】
図４１に示したカーナビゲーション装置９２０において、図１５を参照して説明した情報取得部２６１及び通信制御部２６３は、無線通信インタフェース９３３において実装されてもよい。一例として、情報取得部２６１及び通信制御部２６３は、１つのＢＢプロセッサ９３４又は２つ以上のＢＢプロセッサ９３４において実装されてもよい。また、これら機能の少なくとも一部は、プロセッサ９２１において実装されてもよい。この点については、図２６を参照して説明した情報取得部２７１及び通信制御部２７３も、情報取得部２６１及び通信制御部２６３と同様である。
【０２４５】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０２４６】
＜＜６．まとめ＞＞
ここまで、図１〜図４１を参照して、本開示の実施形態を説明した。
【０２４７】
本開示に係る実施形態によれば、基地局１００は、第１のＣＣを含む２つ以上のＣＣのＰＭＣＨを特定するために用いられる特定情報を取得する情報取得部と、上記第１のＣＣでの上記特定情報の送信を制御する通信制御部と、を備える。
【０２４８】
また、本開示に係る実施形態によれば、端末装置２００は、第１のＣＣを含む２つ以上のＣＣのＰＭＣＨを特定するために用いられる特定情報であって、基地局１００により上記第１のＣＣで送信される上記特定情報を取得する情報取得部と、上記特定情報に基づいて、上記２つ以上のＣＣに含まれるＣＣのＰＭＣＨを特定する通信制御部と、を備える。
【０２４９】
これにより、キャリアアグリゲーションをサポートする端末装置２００にとってのＭＢＭＳに関する負担を軽減することを可能になる。
【０２５０】
−第１の実施形態
第１の実施形態では、上記特定情報は、上記２つ以上のＣＣについてのＭＣＣＨスケジューリング情報である。
【０２５１】
これにより、例えば、キャリアアグリゲーションをサポートする端末装置２００にとってのＭＢＭＳに関する負担を軽減することが可能になる。より具体的には、例えば、端末装置２００は、２つ以上のＣＣを使用する場合であっても、当該２つ以上のＣＣの各々でＭＣＣＨスケジューリング情報を受信し、取得しなくてもよく、例えば１つのＣＣで、上記２つ以上のＣＣについてのＭＣＣＨスケジューリング情報を受信し、取得し得る。そのため、ＭＣＣＨが位置する無線リソース（即ち、無線フレーム及びサブフレーム）を特定するのに端末装置２００にかかる負担が軽減され得る。
【０２５２】
−第２の実施形態
第２の実施形態では、上記特定情報は、上記２つ以上のＣＣについてのＭＢＳＦＮエリアコンフィギュレーション情報である。
【０２５３】
これにより、例えば、キャリアアグリゲーションをサポートする端末装置２００にとってのＭＢＭＳに関する負担を軽減することが可能になる。より具体的には、例えば、端末装置２００は、２つ以上のＣＣを使用する場合であっても、当該２つ以上のＣＣの各々でＭＢＳＦＮエリアコンフィギュレーションメッセージを受信し、取得しなくてもよく、例えば１つのＣＣで、上記２つ以上のＣＣについてのＭＢＳＦＮエリアコンフィギュレーション情報を受信し、取得し得る。そのため、ＰＭＣＨ（即ち、ＰＭＣＨに割り当てられるサブフレーム）を特定するのに端末装置２００にかかる負担が軽減され得る。
【０２５４】
さらに、端末装置２００は、上記２つ以上のＣＣの各々でＭＣＣＨスケジューリング情報を受信し、取得しなくてもよく、例えば１つのＣＣでＭＣＣＨスケジューリング情報を受信し、取得すればよい。そのため、端末装置２００にかかる負担がさらに軽減され得る。
【０２５５】
以上、添付図面を参照しながら本開示の好適な実施形態を説明したが、本開示は係る例に限定されないことは言うまでもない。当業者であれば、請求の範囲に記載された範疇内において、各種の変更例又は修正例に想到し得ることは明らかであり、それらについても当然に本開示の技術的範囲に属するものと了解される。
【０２５６】
例えば、本明細書の通信制御処理における処理ステップは、必ずしもフローチャートに記載された順序に沿って時系列に実行されなくてよい。例えば、通信制御処理における処理ステップは、フローチャートとして記載した順序と異なる順序で実行されても、並列的に実行されてもよい。
【０２５７】
また、本明細書のノード（例えば、基地局及び／又は端末装置）に備えられるプロセッサ（例えば、ＣＰＵ、ＤＳＰなど）及びメモリ（例えば、ＲＯＭ及びＲＡＭなど）などのハードウェアを、上記ノードの構成要素（例えば、情報取得部及び通信制御部など）として機能させるためのコンピュータプログラムも作成可能である。また、当該コンピュータプログラムを記憶させた記憶媒体も提供されてもよい。また、当該コンピュータプログラムを記憶するメモリと、当該コンピュータプログラムを実行可能な１つ以上のプロセッサとを備える装置（例えば、処理回路、チップ又はモジュール（一例として、ＢＢプロセッサ））も提供されてもよい。
【０２５８】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０２５９】
なお、以下のような構成も本開示の技術的範囲に属する。
（１）
第１のコンポーネントキャリアを含む２つ以上のコンポーネントキャリアのＰＭＣＨ（Physical  Multicast  Channel）を特定するために用いられる特定情報を取得する取得部と、
前記第１のコンポーネントキャリアでの前記特定情報の送信を制御する制御部と、
を備える装置。
（２）
前記特定情報は、前記２つ以上のコンポーネントキャリアについての、ＭＣＣＨ（Multicast  Control  Channel）のスケジューリング情報である、前記（１）に記載の装置。
（３）
前記スケジューリング情報は、ＭＣＣＨオフセット、ＭＣＣＨ反復期間及びサブフレーム割当て情報を含む、前記（２）に記載の装置。
（４）
前記取得部は、前記スケジューリング情報を含む所定のシステム情報ブロックを取得し、
前記制御部は、前記第１のコンポーネントキャリアでの前記所定のシステム情報ブロックの送信を制御する、
前記（２）又は（３）に記載の装置。
（５）
前記スケジューリング情報は、１つ以上の個別のスケジューリング情報を含み、
前記１つ以上の個別のスケジューリング情報の各々は、前記２つ以上のコンポーネントキャリアのうちの少なくとも１つのコンポーネントキャリアについての、ＭＣＣＨのスケジューリング情報である、
前記（４）に記載の装置。
（６）
前記１つ以上の個別のスケジューリング情報は、前記２つ以上のコンポーネントキャリアに含まれる少なくとも２つのコンポーネントキャリアの間で共通のスケジューリング情報を含む、前記（５）に記載の装置。
（７）
前記取得部は、前記特定情報を含む所定のシステム情報ブロックを取得し、
前記制御部は、前記第１のコンポーネントキャリアでの前記所定のシステム情報ブロックの送信を制御し、
前記所定のシステム情報ブロックは、前記１つ以上の個別のスケジューリング情報と、前記１つ以上の個別のスケジューリング情報の各々に対応するコンポーネントキャリアの識別情報とを含む、
前記（５）又は（６）に記載の装置。
（８）
前記所定のシステム情報ブロックは、ＭＣＣＨの変更を示すために用いられる情報の所在を端末装置に通知する通知情報であって、前記２つ以上のコンポーネントキャリアについての前記通知情報をさらに含み、
前記通知情報は、通知インジケータ及び通知コンフィギュレーションのうちの少なくとも一方を含む、
前記（４）〜（７）のいずれか１項に記載の装置。
（９）
前記特定情報は、前記２つ以上のコンポーネントキャリアについてのＭＢＳＦＮ（MBMS(Multimedia  Broadcast  Multicast  Services)  over  a  Single  Frequency  Network）エリアコンフィギュレーション情報である、前記（１）に記載の装置。
（１０）
前記制御部は、前記第１のコンポーネントキャリアのＭＣＣＨでの前記ＭＢＳＦＮエリアコンフィギュレーション情報の送信を制御する、前記（９）に記載の装置。
（１１）
前記ＭＢＳＦＮエリアコンフィギュレーション情報は、１つ以上のＭＢＳＦＮエリアコンフィギュレーションメッセージを含み、
前記１つ以上のＭＢＳＦＮエリアコンフィギュレーションメッセージの各々は、前記２つ以上のコンポーネントキャリアのうちの少なくとも１つのコンポーネントキャリアについてのＭＢＳＦＮエリアコンフィギュレーションメッセージである、
前記（１０）に記載の装置。
（１２）
前記１つ以上のＭＢＳＦＮエリアコンフィギュレーションメッセージは、前記２つ以上のコンポーネントキャリアに含まれる少なくとも２つのコンポーネントキャリアの間で共通のＭＢＳＦＮエリアコンフィギュレーションメッセージを含む、前記（１１）に記載の装置。
（１３）
前記ＭＣＣＨで送信される情報は、前記１つ以上のＭＢＳＦＮエリアコンフィギュレーションメッセージと、当該１つ以上のＭＢＳＦＮエリアコンフィギュレーションメッセージの各々に対応するコンポーネントキャリアの識別情報とを含む、前記（１１）又は（１２）に記載の装置。
（１４）
前記ＭＢＳＦＮエリアコンフィギュレーション情報は、１つ以上のＰＭＣＨ割当て情報を含む１つのＭＢＳＦＮエリアコンフィギュレーションメッセージを含み、
前記１つ以上のＰＭＣＨ割当て情報の各々は、前記２つ以上のコンポーネントキャリアのうちの少なくとも１つのコンポーネントキャリアについてのＰＭＣＨ割当て情報である、
前記（１０）に記載の装置。
（１５）
前記１つ以上のＰＭＣＨ割当て情報の各々は、少なくともＰＭＣＨ情報リストを含む、前記（１４）に記載の装置。
（１６）
前記１つ以上のＰＭＣＨ割当て情報は、前記２つ以上のコンポーネントキャリアに含まれる少なくとも２つのコンポーネントキャリアの間で共通のＰＭＣＨ割当て情報を含む、前記（１４）又は（１５）に記載の装置。
（１７）
前記１つのＭＢＳＦＮエリアコンフィギュレーションメッセージは、前記１つ以上のＰＭＣＨ割当て情報と、当該１つ以上のＰＭＣＨ割当て情報に対応するコンポーネントキャリアの識別情報とを含む、前記（１４）〜（１６）のいずれか１項に記載の装置。
（１８）
前記ＭＢＳＦＮエリアコンフィギュレーション情報は、前記２つ以上のコンポーネントキャリアに含まれる少なくとも２つのコンポーネントキャリアにわたるＰＭＣＨを示す情報を含む、前記（１０）〜（１７）のいずれか１項に記載の装置。
（１９）
第１のコンポーネントキャリアを含む２つ以上のコンポーネントキャリアのＰＭＣＨを特定するために用いられる特定情報を取得することと、
前記第１のコンポーネントキャリアでの前記特定情報の送信をプロセッサにより制御することと、
を含む方法。
（２０）
第１のコンポーネントキャリアを含む２つ以上のコンポーネントキャリアのＰＭＣＨを特定するために用いられる特定情報であって、基地局により前記第１のコンポーネントキャリアで送信される前記特定情報を取得する取得部と、
前記特定情報に基づいて、前記２つ以上のコンポーネントキャリアに含まれるコンポーネントキャリアのＰＭＣＨを特定する制御部と、
を備える装置。
【符号の説明】
【０２６０】
１                通信システム
１０              セル
１００            基地局
１５１、１６１    情報取得部
１５３、１６３    通信制御部
２００            端末装置
２６１、２７１    情報取得部
２６３、２７３    通信制御部
【図１】
2015093141.tif 000003
【図２】
2015093141.tif 000004
【図３】
2015093141.tif 000005
【図４】
2015093141.tif 000006
【図５】
2015093141.tif 000007
【図６】
2015093141.tif 000008
【図７】
2015093141.tif 000009
【図８】
2015093141.tif 000010
【図９】
2015093141.tif 000011
【図１０】
2015093141.tif 000012
【図１１】
2015093141.tif 000013
【図１２】
2015093141.tif 000014
【図１３】
2015093141.tif 000015
【図１４】
2015093141.tif 000016
【図１５】
2015093141.tif 000017
【図１６】
2015093141.tif 000018
【図１７】
2015093141.tif 000019
【図１８】
2015093141.tif 000020
【図１９】
2015093141.tif 000021
【図２０】
2015093141.tif 000022
【図２１】
2015093141.tif 000023
【図２２】
2015093141.tif 000024
【図２３】
2015093141.tif 000025
【図２４】
2015093141.tif 000026
【図２５】
2015093141.tif 000027
【図２６】
2015093141.tif 000028
【図２７】
2015093141.tif 000029
【図２８】
2015093141.tif 000030
【図２９】
2015093141.tif 000031
【図３０】
2015093141.tif 000032
【図３１】
2015093141.tif 000033
【図３２】
2015093141.tif 000034
【図３３】
2015093141.tif 000035
【図３４】
2015093141.tif 000036
【図３５】
2015093141.tif 000037
【図３６】
2015093141.tif 000038
【図３７】
2015093141.tif 000039
【図３８】
2015093141.tif 000040
【図３９】
2015093141.tif 000041
【図４０】
2015093141.tif 000042
【図４１】
2015093141.tif 000043
【国際調査報告】
2015093141.tif 000044
2015093141.tif 000045
2015093141.tif 000046
2015093141.tif 000047